(57)【要約】 【課題】無線信号の送受信過程を効率的に行う方法及びそのための装置を提供する。【解決手段】本発明は無線通信システムに関し、より具体的には、ＴＢを構成する複数のＣＢＧに対してデコードを行う段階、デコードの後に、ＴＢを再受信する段階、及びＴＢの再受信に対して複数のＨＡＲＱ−ＡＣＫビットを伝送し、各々のＨＡＲＱ−ＡＣＫビットはＴＢの各々のＣＢＧに対するＨＡＲＱ−ＡＣＫ応答を示す段階を含み、複数のＨＡＲＱ−ＡＣＫビットのうち、ＴＢの再受信前に成功的にデコードされた第１ＣＢＧに対するＨＡＲＱ−ＡＣＫビットは、ＴＢの再受信時に第１ＣＢＧの受信有無に関係なくＡＣＫにマッピングされる方法及びそのための装置に関する。【選択図】図１６
2019527506.tif 000002
【特許請求の範囲】
【請求項１】
無線通信システムにおいて通信装置がＣＢＧ(Ｃｏｄｅ  Ｂｌｏｃｋ  Ｇｒｏｕｐ)基盤でＨＡＲＱ−ＡＣＫ(ｈｙｂｒｉｄ  ＡＲＱ  Ａｃｋｎｏｗｌｅｄｇｅｍｅｎｔ)情報を伝送する方法であって、
ＴＢ(Ｔｒａｎｓｐｏｒｔ  Ｂｌｏｃｋ)を構成する複数のＣＢＧに対してデコードを行う段階と、
前記デコードの後に、前記ＴＢを再受信する段階と、
前記ＴＢの再受信に対して複数のＨＡＲＱ−ＡＣＫビットを伝送し、各々のＨＡＲＱ−ＡＣＫビットは前記ＴＢの各々のＣＢＧに対するＨＡＲＱ−ＡＣＫ応答を示す段階と、を含み、
前記複数のＨＡＲＱ−ＡＣＫビットのうち、前記ＴＢの再受信前に成功的にデコードされた第１ＣＢＧに対するＨＡＲＱ−ＡＣＫビットは、前記ＴＢの再受信時に前記第１ＣＢＧの受信有無に関係なくＡＣＫにマッピングされる、方法。
【請求項２】
前記第１ＣＢＧは、前記ＴＢの再受信時に受信されていないＣＢＧを含む、請求項１に記載の方法。
【請求項３】
前記複数のＨＡＲＱ−ＡＣＫビットのうち、前記ＴＢの再受信時に受信されておらず、前記ＴＢの再受信前に成功的にデコードされていない第２ＣＢＧに対するＨＡＲＱ−ＡＣＫビットは、ＮＡＣＫ(Ｎｅｇａｔｉｖｅ  ＡＣＫ)にマッピングされる、請求項１に記載の方法。
【請求項４】
前記各々のＣＢＧは、１つ以上のＣＢを含み、各々のＣＢにはＣＢ基盤のＣＲＣ(Ｃｙｃｌｉｃ  Ｒｅｄｕｎｄａｎｃｙ  Ｃｈｅｃｋ)が付加され、前記ＴＢにはＴＢ基盤のＣＲＣが付加される、請求項１に記載の方法。
【請求項５】
前記ＴＢを構成するＣＢＧの全体個数Ｍは、ＲＲＣ(Ｒａｄｉｏ  Ｒｅｓｏｕｒｃｅ  Ｃｏｎｔｒｏｌ)シグナリングを通じて受信され、前記複数のＨＡＲＱ−ＡＣＫビットはＭ個である、請求項１に記載の方法。
【請求項６】
前記デコード過程におけるＴＢと前記再受信過程におけるＴＢは同一のＨＡＲＱプロセスを共有する、請求項１に記載の方法。
【請求項７】
前記無線通信システムは３ＧＰＰ(３ｒｄ  Ｇｅｎｅｒａｔｉｏｎ  Ｐａｒｔｎｅｒｓｈｉｐ  Ｐｒｏｊｅｃｔ)基盤の無線通信システムを含む、請求項１に記載の方法。
【請求項８】
無線通信システムにおいてＣＢＧ(Ｃｏｄｅ  Ｂｌｏｃｋ  Ｇｒｏｕｐ)基盤でＨＡＲＱ−ＡＣＫ(ｈｙｂｒｉｄ  ＡＲＱ  Ａｃｋｎｏｗｌｅｄｇｅｍｅｎｔ)情報を伝送するために使用される通信装置であって、
ＲＦ(Ｒａｄｉｏ  Ｆｒｅｑｕｅｎｃｙ)モジュールと、
プロセッサと、を含み、
前記プロセッサは、
ＴＢ(Ｔｒａｎｓｐｏｒｔ  Ｂｌｏｃｋ)を構成する複数のＣＢＧに対してデコードを行い、
前記デコード後に前記ＴＢを再受信し、
前記ＴＢの再受信に対して複数のＨＡＲＱ−ＡＣＫビットを伝送し、各々のＨＡＲＱ−ＡＣＫビットは前記ＴＢの各々のＣＢＧに対するＨＡＲＱ−ＡＣＫ応答を示すように構成され、
前記複数のＨＡＲＱ−ＡＣＫビットのうち、前記ＴＢの再受信前に成功的にデコードされた第１ＣＢＧに対するＨＡＲＱ−ＡＣＫビットは前記ＴＢの再受信時に前記第１ＣＢＧの受信有無に関係なくＡＣＫにマッピングされる、通信装置。
【請求項９】
前記第１ＣＢＧは、前記ＴＢの再受信時に受信されていないＣＢＧを含む、請求項８に記載の通信装置。
【請求項１０】
前記複数のＨＡＲＱ−ＡＣＫビットのうち、前記ＴＢの再受信時に受信されておらず、前記ＴＢの再受信前に成功的にデコードされていない第２ＣＢＧに対するＨＡＲＱ−ＡＣＫビットは、ＮＡＣＫ(Ｎｅｇａｔｉｖｅ  ＡＣＫ)にマッピングされる、請求項８に記載の通信装置。
【請求項１１】
前記各々のＣＢＧは、１つ以上のＣＢを含み、各々のＣＢにはＣＢ基盤のＣＲＣ(Ｃｙｃｌｉｃ  Ｒｅｄｕｎｄａｎｃｙ  Ｃｈｅｃｋ)が付加され、前記ＴＢにはＴＢ基盤のＣＲＣが付加される、請求項８に記載の通信装置。
【請求項１２】
前記ＴＢを構成するＣＢＧの全体個数Ｍは、ＲＲＣ(Ｒａｄｉｏ  Ｒｅｓｏｕｒｃｅ  Ｃｏｎｔｒｏｌ)シグナリングを通じて受信され、前記複数のＨＡＲＱ−ＡＣＫビットはＭ個である、請求項８に記載の通信装置。
【請求項１３】
前記デコード過程におけるＴＢと前記再受信過程におけるＴＢは同一のＨＡＲＱプロセスを共有する、請求項８に記載の通信装置。
【請求項１４】
前記無線通信システムは３ＧＰＰ(３ｒｄ  Ｇｅｎｅｒａｔｉｏｎ  Ｐａｒｔｎｅｒｓｈｉｐ  Ｐｒｏｊｅｃｔ)基盤の無線通信システムを含む、請求項８に記載の通信装置。
【発明の詳細な説明】
【技術分野】
【０００１】
本発明は無線通信システムに関し、より具体的には無線信号の送受信方法及び装置に関する。無線通信システムはＣＡ(Ｃａｒｒｉｅｒ  Ａｇｇｒｅｇａｔｉｏｎ)基盤の無線通信システムを含む。
【背景技術】
【０００２】
無線通信システムが音声やデータなどの種々の通信サービスを提供するために広範囲に展開されている。一般に、無線通信システムは可用のシステムリソース（帯域幅、伝送パワーなど）を共有して多重使用者との通信を支援することができる多重接続（ｍｕｌｔｉｐｌｅ  ａｃｃｅｓｓ）システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線信号の送受信過程を効率的に行う方法及びそのための装置を提供することにある。
【０００４】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００５】
本発明の一態様では、無線通信システムにおいて端末が制御情報を伝送する方法において、上位階層信号を通じて１つの伝送ブロックに対して定義されたコードブロックグループの数Ｍに関する情報を基地局から受信する段階、複数のコードブロックを含む第１伝送ブロックを物理階層チャネルを通じて基地局から受信する段階、及び第１伝送ブロックに関するＨＡＲＱ−ＡＣＫ(ｈｙｂｒｉｄ  ＡＲＱ  Ａｃｋｎｏｗｌｅｄｇｅｍｅｎｔ)情報を含むＨＡＲＱ−ＡＣＫペイロードを基地局に伝送する段階を含み、各々のコードブロックにはコードブロック基盤のＣＲＣ(Ｃｙｃｌｉｃ  Ｒｅｄｕｎｄａｎｃｙ  Ｃｈｅｃｋ)が付加され、第１伝送ブロックには伝送ブロック基盤のＣＲＣが付加され、ＨＡＲＱ−ＡＣＫペイロードは第１伝送ブロックに対してＭ個のコードブロックグループに対応する複数のＨＡＲＱ−ＡＣＫビットを含む、方法が提供される。
【０００６】
本発明の他の態様では、無線通信システムで使用される端末であって、ＲＦ(Ｒａｄｉｏ  Ｆｒｅｑｕｅｎｃｙ)モジュール、及びプロセッサを含み、プロセッサは、上位階層信号を通じて１つの伝送ブロックに対して定義されたコードブロックグループの数Ｍに関する情報を基地局から受信し、複数のコードブロックを含む第１伝送ブロックを物理階層チャネルを通じて基地局から受信し、第１伝送ブロックに関するＨＡＲＱ−ＡＣＫ(ｈｙｂｒｉｄ  ＡＲＱ  Ａｃｋｎｏｗｌｅｄｇｅｍｅｎｔ)情報を含むＨＡＲＱ−ＡＣＫペイロードを基地局に伝送するように構成され、各々のコードブロックにはコードブロック基盤のＣＲＣ(Ｃｙｃｌｉｃ  Ｒｅｄｕｎｄａｎｃｙ  Ｃｈｅｃｋ)が付加され、第１伝送ブロックには伝送ブロック基盤のＣＲＣが付加され、ＨＡＲＱ−ＡＣＫペイロードは第１伝送ブロックに対してＭ個のコードブロックグループに対応する複数のＨＡＲＱ−ＡＣＫビットを含む、端末が提供される。
【０００７】
好ましくは、上位階層信号はＲＲＣ(Ｒａｄｉｏ  Ｒｅｓｏｕｒｃｅ  Ｃｏｎｔｒｏｌ)信号を含み、物理階層チャネルはＰＤＳＣＨ(Ｐｈｙｓｉｃａｌ  Ｄｏｗｎｌｉｎｋ  Ｓｈａｒｅｄ  Ｃｈａｎｎｅｌ)を含む。
【０００８】
好ましくは、ＨＡＲＱ−ＡＣＫペイロードのサイズは第１伝送ブロックに対するＨＡＲＱ過程の間にＭに基づいて同一に維持される。
【０００９】
好ましくは、第１伝送ブロックが複数のコードブロックグループで構成される場合、複数のコードブロックグループのうちの一部はｃｅｉｌｉｎｇ(Ｋ／Ｍ)個のコードブロックを含み、複数のコードブロックグループのうちの残りはｆｌｏｏｒｉｎｇ(Ｋ／Ｍ)個のコードブロックを含み、ｃｅｉｌｉｎｇは切り上げ関数、ｆｌｏｏｒｉｎｇは切り捨ての関数であり、Ｋは第１伝送ブロック内のコードブロックの数を示す。
【００１０】
好ましくは、第１伝送ブロックに対してコードブロックグループが設定された場合、ＨＡＲＱ−ＡＣＫペイロード内の各々のＨＡＲＱ−ＡＣＫビットは、第１伝送ブロックに対してコードブロックグループ単位で生成された各々のＨＡＲＱ−ＡＣＫ情報を示す。
【００１１】
好ましくは、第１伝送ブロックに対してコードブロックグループが設定されなかった場合、ＨＡＲＱ−ＡＣＫペイロード内で第１伝送ブロックに対する複数のＨＡＲＱ−ＡＣＫビットはいずれも同一の値を有し、第１伝送ブロックに対する各々のＨＡＲＱ−ＡＣＫビットは、第１伝送ブロックに対して伝送ブロックグループ単位で生成されたＨＡＲＱ−ＡＣＫ情報を示す。
【００１２】
好ましくは、第１伝送ブロックに対してコードブロックグループ基盤のＣＲＣチェック結果はいずれも成功であるが、伝送ブロック基盤のＣＲＣチェック結果は失敗である場合、ＨＡＲＱ−ＡＣＫペイロード内で第１伝送ブロックに対する複数のＨＡＲＱ−ＡＣＫビットはいずれもＮＡＣＫ(Ｎｅｇａｔｉｖｅ  Ａｃｋｎｏｗｌｅｄｇｅｍｅｎｔ)を示す。
【００１３】
本発明のさらに他の態様では、無線通信システムにおいて基地局が制御情報を受信する方法において、上位階層信号を通じて１つの伝送ブロックに対して定義されたコードブロックグループの数Ｍに関する情報を端末に伝送する段階、複数のコードブロックを含む第１伝送ブロックを物理階層チャネルを通じて端末に伝送する段階、及び第１伝送ブロックに関するＨＡＲＱ−ＡＣＫ(ｈｙｂｒｉｄ  ＡＲＱ  Ａｃｋｎｏｗｌｅｄｇｅｍｅｎｔ)情報を含むＨＡＲＱ−ＡＣＫペイロードを端末から受信する段階を含み、各々のコードブロックにはコードブロック基盤のＣＲＣ(Ｃｙｃｌｉｃ  Ｒｅｄｕｎｄａｎｃｙ  Ｃｈｅｃｋ)が付加され、第１伝送ブロックには伝送ブロック基盤のＣＲＣが付加され、ＨＡＲＱ−ＡＣＫペイロードは第１伝送ブロックに対してＭ個のコードブロックグループに対応する複数のＨＡＲＱ−ＡＣＫビットを含む、方法が提供される。
【００１４】
本発明のさらに他の態様では、無線通信システムで使用される基地局であって、ＲＦ(Ｒａｄｉｏ  Ｆｒｅｑｕｅｎｃｙ)モジュール、及びプロセッサを含み、プロセッサは、上位階層信号を通じて１つの伝送ブロックに対して定義されたコードブロックグループの数Ｍに関する情報を端末に伝送し、複数のコードブロックを含む第１伝送ブロックを物理階層チャネルを通じて端末に伝送し、第１伝送ブロックに関するＨＡＲＱ−ＡＣＫ(ｈｙｂｒｉｄ  ＡＲＱ  Ａｃｋｎｏｗｌｅｄｇｅｍｅｎｔ)情報を含むＨＡＲＱ−ＡＣＫペイロードを端末から受信するように構成され、各々のコードブロックにはコードブロック基盤のＣＲＣ(Ｃｙｃｌｉｃ  Ｒｅｄｕｎｄａｎｃｙ  Ｃｈｅｃｋ)が付加され、第１伝送ブロックには伝送ブロック基盤のＣＲＣが付加され、ＨＡＲＱ−ＡＣＫペイロードは第１伝送ブロックに対してＭ個のコードブロックグループに対応する複数のＨＡＲＱ−ＡＣＫビットを含む、端末が提供される。
【発明の効果】
【００１５】
本発明によれば、無線通信システムにおいて無線信号の送受信を効率的に行うことができる。
【００１６】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１７】
本発明に関する理解を助けるために詳細な説明の一部として含まれる添付図面は本発明の実施例を提供し、詳細な説明とともに本発明の技術的思想を説明する。
【００１８】
【図１】無線通信システムの一例である３ＧＰＰ  ＬＴＥ(−Ａ)システムに用いられる物理チャネル及びこれらを用いた一般的な信号伝送方法を例示する図である。
【図２】無線フレーム（ｒａｄｉｏ  ｆｒａｍｅ）の構造を例示する図である。
【図３】下りリンクスロットのリソースグリッドを例示する図である。
【図４】下りリンクサブフレームの構造を示す図である。
【図５】ＥＰＤＣＣＨ(Ｅｎｈａｎｃｅｄ  Ｐｈｙｓｉｃａｌ  Ｄｏｗｎｌｉｎｋ  Ｃｏｎｔｒｏｌ  ＣＨａｎｎｅｌ)を例示する図である。
【図６】ＬＴＥ（−Ａ）で使用される上りリンクサブフレームの構造を例示する図である。
【図７】ＳＣ−ＦＤＭＡ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ)方式とＯＦＤＭＡ(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)方式を例示する図である。
【図８】ＵＬ  ＨＡＲＱ(Ｕｐｌｉｎｋ  Ｈｙｂｒｉｄ  Ａｕｔｏｍａｔｉｃ  Ｒｅｐｅａｔ  ｒｅＱｕｅｓｔ)動作を例示する図である。
【図９】伝送ブロック(Ｔｒａｎｓｐｏｒｔ  Ｂｌｏｃｋ，ＴＢ)の処理過程を例示する図である。
【図１０】ランダム接続過程を例示する図である。
【図１１】ランダム接続過程を例示する図である。
【図１２】キャリア併合（Ｃａｒｒｉｅｒ  Ａｇｇｒｅｇａｔｉｏｎ、ＣＡ）通信システムを例示する図である。
【図１３】クロス−キャリアスケジューリング(ｃｒｏｓｓ-ｃａｒｒｉｅｒ  ｓｃｈｅｄｕｌｉｎｇ)を例示する図である。
【図１４】アナログビーム形成を例示する図である。
【図１５】自己完結(ｓｅｌｆ-ｃｏｎｔａｉｎｅｄ)サブフレーム構造を例示する図である。
【図１６】本発明による信号伝送を例示する図である。
【図１７】本発明による信号伝送を例示する図である。
【図１８】本発明に適用可能な基地局及び端末を例示する図である。
【発明を実施するための形態】
【００１９】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに用いられることができる。ＣＤＭＡはＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｒａｄｉｏ  ｔｅｃｈｎｏｌｏｇｙ）によって具現可能である。ＴＤＭＡはＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現可能である。ＯＦＤＭＡはＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などの無線技術によって具現可能である。ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は３ＧＰＰ  ＬＴＥの進化したバージョンである。説明を明確にするために、３ＧＰＰ  ＬＴＥ／ＬＴＥ−Ａを主として説明したが、本発明の技術的思想はこれに限定されない。
【００２０】
無線通信システムにおいて、端末は基地局から下りリンク(Ｄｏｗｎｌｉｎｋ、ＤＬ)を介して情報を受信し、端末は基地局から上りリンク(Ｕｐｌｉｎｋ、ＵＬ)を介して情報を伝送する。基地局と端末が送受信する情報はデータ及び様々な制御情報を含み、これらが送受信する情報の種類／用途によって様々な物理チャネルが存在する。
【００２１】
図１は３ＧＰＰ  ＬＴＥ(−Ａ)システムに用いられる物理チャネル及びこれらを用いた一般的な信号伝送方法を例示する図である。
【００２２】
電源Ｏｆｆ状態で電源を入れたか或いは新しくセルに進入した端末は、段階Ｓ１０１において、基地局と同期を確立するなどの初期セル探索(Ｉｎｉｔｉａｌ  ｃｅｌｌ  ｓｅａｒｃｈ)作業を行う。このために、端末は基地局から主同期チャネル(Ｐｒｉｍａｒｙ  Ｓｙｎｃｈｒｏｎｉｚａｔｉｏｎ  Ｃｈａｎｎｅｌ、Ｐ−ＳＣＨ)及び副同期チャネル(Ｓｅｃｏｎｄａｒｙ  Ｓｙｎｃｈｒｏｎｉｚａｔｉｏｎ  Ｃｈａｎｎｅｌ、Ｓ−ＳＣＨ)を受信して基地局と同期を確立し、セルＩＤ(ｃｅｌｌ  ｉｄｅｎｔｉｔｙ)などの情報を得る。その後、端末は基地局から物理放送チャネル(Ｐｈｙｓｉｃａｌ  Ｂｒｏａｄｃａｓｔ  Ｃｈａｎｎｅｌ、ＰＢＣＨ)を受信してセル内の放送情報を得る。なお、端末は初期セル探索の段階において、下りリンク参照信号(Ｄｏｗｎｌｉｎｋ  Ｒｅｆｅｒｅｎｃｅ  Ｓｉｇｎａｌ、ＤＬ  ＲＳ)を受信して下りリンクチャネルの状態を確認できる。
【００２３】
初期セル探索が終了した端末は、段階Ｓ１０２において、物理下りリンク制御チャネル(Ｐｈｙｓｉｃａｌ  Ｄｏｗｎｌｉｎｋ  Ｃｏｎｔｒｏｌ  Ｃｈａｎｎｅｌ、ＰＤＣＣＨ)及び物理下りリンク制御チャネルの情報に基づく物理下りリンク共有チャネル(Ｐｈｙｓｉｃａｌ  Ｄｏｗｎｌｉｎｋ  Ｃｏｎｔｒｏｌ  Ｃｈａｎｎｅｌ、ＰＤＳＣＨ)を受信して、より具体的なシステム情報を得る。
【００２４】
以後端末は基地局に接続を完了するために、段階Ｓ１０３乃至段階Ｓ１０６のような任意接続過程(Ｒａｎｄｏｍ  Ａｃｃｅｓｓ  Ｐｒｏｃｅｄｕｒｅ)を行う。このために端末は、物理任意接続チャネル(Ｐｈｙｓｉｃａｌ  Ｒａｎｄｏｍ  Ａｃｃｅｓｓ  Ｃｈａｎｎｅｌ、ＰＲＡＣＨ)を介してプリアンブル(ｐｒｅａｍｂｌｅ)を伝送し(Ｓ１０３)、物理下りリンク制御チャネル及びこれに対応する物理下りリンク共有チャネルを介してプリアンブルに対する応答メッセージを受信する(Ｓ１０４)。競争基盤の任意接続(Ｃｏｎｔｅｎｔｉｏｎ  ｂａｓｅｄ  ｒａｎｄｏｍ  ａｃｃｅｓｓ)の場合、さらなる物理任意接続チャネルの伝送(Ｓ１０５)、物理下りリンク制御チャネル及びそれに対応する物理下りリンク共有チャネルの受信(Ｓ１０６)のような衝突解決手順(Ｃｏｎｔｅｎｔｉｏｎ  Ｒｅｓｏｌｕｔｉｏｎ  Ｐｒｏｃｅｄｕｒｅ)を行う。
【００２５】
このような手順を行った端末は、その後一般的な上り／下りリンク信号の伝送手順として物理下りリンク制御チャネル／物理下りリンク共有チャネルの受信(Ｓ１０７)、及び物理上りリンク共有チャネル(Ｐｈｙｓｉｃａｌ  Ｕｐｌｉｎｋ  Ｓｈａｒｅｄ  Ｃｈａｎｎｅｌ、ＰＵＳＣＨ)／物理上りリンク制御チャネル(Ｐｈｙｓｉｃａｌ  Ｕｐｌｉｎｋ  Ｃｏｎｔｒｏｌ  Ｃｈａｎｎｅｌ、ＰＵＣＣＨ)の伝送を行う(Ｓ１０８)。端末が基地局に伝送する制御情報を併せて上りリンク制御情報(Ｕｐｌｉｎｋ  Ｃｏｎｔｒｏｌ  Ｉｎｆｏｒｍａｔｉｏｎ、ＵＣＩ)と称する。ＵＣＩは、ＨＡＲＱ  ＡＣＫ／ＮＡＣＫ(Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ  Ｒｅｑｕｅｓｔ)、ＣＳＩ(Ｃｈａｎｎｅｌ  Ｓｔａｔｅ  Ｉｎｆｏｒｍａｔｉｏｎ)などを含む。ＣＳＩは、ＣＱＩ(Ｃｈａｎｎｅｌ  Ｑｕａｌｉｔｙ  Ｉｎｄｉｃａｔｏｒ)、ＰＭＩ(Ｐｒｅｃｏｄｉｎｇ  Ｍａｔｒｉｘ  Ｉｎｄｉｃａｔｏｒ)、ＲＩ(Ｒａｎｋ  Ｉｎｄｉｃａｔｉｏｎ)などを含む。ＵＣＩは一般的にＰＵＣＣＨを介して伝送されるが、制御情報とトラヒックデータが同時に伝送される必要がある場合にはＰＵＳＣＨを介して伝送される。また、ネットワークの要請／指示によってＰＵＳＣＨを介してＵＣＩを非周期的に伝送することができる。
【００２６】
図２は無線フレーム（ｒａｄｉｏ  ｆｒａｍｅ）構造を例示する。上りリンク／下りリンクデータパケット伝送サブフレーム（ｓｕｂｆｒａｍｅ）単位でなり、一つのサブフレームは多数のＯＦＤＭシンボルを含む一定時間区間と定義される。ＬＴＥ（−Ａ）はＦＤＤ（Ｆｒｅｑｕｅｎｃｙ  Ｄｉｖｉｓｉｏｎ  Ｄｕｐｌｅｘ）のためのタイプ１無線フレーム構造及びＴＤＤ（Ｔｉｍｅ  Ｄｉｖｉｓｉｏｎ  Ｄｕｐｌｅｘ）のためのタイプ２無線フレーム構造を支援する。
【００２７】
図２（ａ）はタイプ１無線フレーム構造を例示する。下りリンク無線フレームは１０個のサブフレームで構成され、一つのサブフレームは時間領域（ｔｉｍｅ  ｄｏｍａｉｎ）で２個のスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓであり、一つのスロットの長さは０．５ｍｓであってもよい。一つのスロットは時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥ（−Ａ）システムにおいては下りリンクでＯＦＤＭＡを使うので、ＯＦＤＭシンボルが一つのシンボル区間を示す。ＯＦＤＭシンボルはＳＣ−ＦＤＭＡシンボル又はシンボル区間と言うこともできる。リソース割当て単位としてのリソースブロック（ＲＢ）は一つのスロットで複数の連続的な副搬送波（ｓｕｂｃａｒｒｉｅｒ）を含むことができる。
【００２８】
スロットに含まれるＯＦＤＭシンボルの数は、ＣＰ(Ｃｙｃｌｉｃ  Ｐｒｅｆｉｘ)の構成によって異なる。ＣＰには拡張ＣＰ(ｅｘｔｅｎｄｅｄ  ＣＰ)とノーマルＣＰ(ｎｏｒｍａｌ  ＣＰ)がある。例えば、ＯＦＤＭシンボルがノーマルＣＰにより構成される場合、１つのスロットに含まれるＯＦＤＭシンボルの数は７つである。ＯＦＤＭシンボルが拡張されたＣＰによって構成される場合、１つのＯＦＤＭシンボルの長さが長くなるので、１つのスロットに含まれるＯＦＤＭシンボルの数はノーマルＣＰの場合より少なくなる。例えば、拡張ＣＰの場合、１つのスロットに含まれるＯＦＤＭシンボルの数が６つである。端末の高速移動などによりチャネルの状態が不安定な場合、シンボルの間の干渉を減らすために拡張ＣＰが使用される。
【００２９】
ノーマルＣＰが使用される場合、スロットは７つのＯＦＤＭシンボルを含むので、サブフレームは１４つのＯＦＤＭシンボルを含む。サブフレームの初めから最大３つのＯＦＤＭシンボルはＰＤＣＣＨ(ｐｈｙｓｉｃａｌ  ｄｏｗｎｌｉｎｋ  ｃｏｎｔｒｏｌ  ｃｈａｎｎｅｌ)に割り当てられ、その他のＯＦＤＭシンボルはＰＤＳＣＨ(ｐｈｙｓｉｃａｌ  ｄｏｗｎｌｉｎｋ  ｓｈａｒｅｄ  ｃｈａｎｎｅｌ)に割り当てられる。
【００３０】
図２（ｂ）はタイプ２の無線フレームの構造を例示する。タイプ２の無線フレームは、２つのハーフフレーム(ｈａｌｆ  ｆｒａｍｅ)で構成される。ハーフフレームは４(５)個の一般サブフレームと１(０)個のスペシャルサブフレームを含む。一般サブフレームはＵＬ−ＤＬ構成(Ｕｐｌｉｎｋ−Ｄｏｗｎｌｉｎｋ  Ｃｏｎｆｉｇｕｒａｔｉｏｎ)によって上りリンク又は下りリンクに使用される。サブフレームは２つのスロットで構成される。
【００３１】
表１はＵＬ−ＤＬ構成による無線フレーム内のサブフレームの構成を例示する。
【００３２】
【表１】
2019527506.tif 000003
【００３３】
表で、Ｄは下りリンクサブフレームを、Ｕは上りリンクサブフレームを、Ｓはスペシャル（ｓｐｅｃｉａｌ）サブフレームを示す。スペシャルサブフレームはＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）を含む。ＤｗＰＴＳは端末における初期セル探索、同期化又はチャネル推定に使用される。ＵｐＰＴＳは基地局におけるチャネル推定、端末の上りリンク伝送同期の確立に使用される。保護区間は上りリンクと下りリンクの間における下りリンク信号の多重経路遅延により上りリンクに発生し得る干渉を除去するための区間である。
【００３４】
無線フレームの構造は一例に過ぎず、無線フレームにおいてサブフレームの数、スロットの数、シンボルの数は様々に変更可能である。
【００３５】
図３は下りリンクスロットのリソースグリッドを例示する図である。
【００３６】
図３を参照すると、下りリンクスロットは時間ドメインで複数のＯＦＤＭシンボルを含む。ここでは、１つの下りリンクスロットは７つのＯＦＤＭシンボルを含み、１つのリソースブロック(ＲＢ)は周波数ドメインで１２つの副搬送波を含むことが例示されている。しかし、本発明はこれに制限されない。リソースグリッド上で各々の要素はリソース要素(Ｒｅｓｏｕｒｃｅ  Ｅｌｅｍｅｎｔ、ＲＥ)と称される。１つのＲＢは１２×７ＲＥを含む。下りリンクスロットに含まれたＲＢの数ＮＤＬは下りリンクの伝送帯域に依存する。上りリンクスロットの構造は下りリンクスロットの構造と同一である。
【００３７】
図４は下りリンクサブフレームの構造を例示する。
【００３８】
図４を参照すると、サブフレームの一番目スロットにおいて前側に位置する最大３（４）個のＯＦＤＭシンボルは制御チャネルが割り当てられる制御領域に対応する。その他のＯＦＤＭシンボルは、ＰＤＳＣＨ(ｐｈｙｓｉｃａｌ  ｄｏｗｎｌｉｎｋ  ｓｈａｒｅｄ  ｃｈａｎｃｅｌ)が割り当てられるデータ領域に該当し、データ領域の基本リソース単位はＲＢである。ＬＴＥにおいて使用される下りリンク制御チャネルの例は、ＰＣＦＩＣＨ(ｐｈｙｓｉｃａｌ  ｃｏｎｔｒｏｌ  ｆｏｒｍａｔ  ｉｎｄｉｃａｔｏｒ  ｃｈａｎｎｅｌ)、ＰＤＣＣＨ(ｐｈｙｓｉｃａｌ  ｄｏｗｎｌｉｎｋ  ｃｏｎｔｒｏｌ  ｃｈａｎｎｅｌ)、ＰＨＩＣＨ(ｐｈｙｓｉｃａｌ  ｈｙｂｒｉｄ  ＡＲＱ  ｉｎｄｉｃａｔｏｒ  ｃｈａｎｎｅｌ)などを含む。ＰＣＦＩＣＨはサブフレームの一番目ＯＦＤＭシンボルで送信され、サブフレーム内で制御チャネルの伝送に使われるＯＦＤＭシンボルの数についての情報を運ぶ。ＰＨＩＣＨは上りリンク伝送に対する応答であり、ＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。ＰＤＣＣＨを介して伝送される制御情報はＤＣＩ(ｄｏｗｎｌｉｎｋ  ｃｏｎｔｒｏｌ  ｉｎｆｏｒｍａｔｉｏｎ)と称される。ＤＣＩは上りリンク又は下りリンクのスケジューリング情報又は任意の端末グループのための上りリンク伝送電力制御命令(Ｔｒａｎｓｍｉｔ  Ｐｏｗｅｒ  Ｃｏｎｔｒｏｌ  Ｃｏｍｍａｎｄ)を含む。
【００３９】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と言う。ＤＣＩフォーマットは上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの数、各々の情報フィールドのビットの数などが変わる。例えば、ＤＣＩフォーマットは用途によってホッピングフラグ（ｈｏｐｐｉｎｇ  ｆｌａｇ）、ＲＢ割当て、ＭＣＳ（Ｍｏｄｕｌａｔｉｏｎ  Ｃｏｄｉｎｇ  Ｓｃｈｅｍｅ）、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｔ  Ｐｏｗｅｒ  Ｃｏｎｔｒｏｌ）、ＤＭＲＳ（ＤｅＭｏｄｕｌａｔｉｏｎ  Ｒｅｆｅｒｅｎｃｅ  Ｓｉｇｎａｌ）のための循環シフト、ＣＱＩ（Ｃｈａｎｎｅｌ  Ｑｕａｌｉｔｙ  Ｉｎｆｏｒｍａｔｉｏｎ）要請、ＨＡＲＱプロセス番号、ＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）などの情報を選択的に含む。従って、ＤＣＩフォーマットによってＤＣＩフォーマットに整合される制御情報のサイズが変わる。なお、任意のＤＣＩフォーマットは２つ種類以上の制御情報伝送に使用される。例えば、ＤＣＩフォーマット０／１ＡはＤＣＩフォーマット０又はＤＣＩフォーマット１を運ぶために使用され、これらはフラグフィールド(ｆｌａｇ  ｆｉｅｌｄ)により区分される。
【００４０】
ＰＤＣＣＨはＤＬ−ＳＣＨ(ｄｏｗｎｌｉｎｋ  ｓｈａｒｅｄ  ｃｈａｎｎｅｌ)の伝送フォーマット及びリソース割り当て、ＵＬ−ＳＣＨ(ｕｐｌｉｎｋ  ｓｈａｒｅｄ  ｃｈａｎｎｅｌ)に対するリソース割り当て情報、ＰＣＨ(ｐａｇｉｎｇ  ｃｈａｎｎｅｌ)に対するページング情報、ＤＬ−ＳＣＨ上のシステム情報(ｓｙｓｔｅｍ  ｉｎｆｏｒｍａｔｉｏｎ)、ＰＤＳＣＨ上で伝送されるランダム接続応答のような上位階層制御メッセージのリソース割り当て情報、任意の端末グループ内で個別の端末に対する伝送電力制御命令、ＶｏＩＰ(Ｖｏｉｃｅ  ｏｖｅｒ  ＩＰ)の活性化(ａｃｔｉｖａｔｉｏｎ)などを運ぶ。複数のＰＤＣＣＨが制御領域内で送信されることができる。端末は複数のＰＤＣＣＨをモニターすることができる。ＰＤＣＣＨは一つ又は複数の連続した制御チャネル要素（Ｃｏｎｔｒｏｌ  Ｃｈａｎｎｅｌ  Ｅｌｅｍｅｎｔ、ＣＣＥ）の集合（ａｇｇｒｅｇａｔｉｏｎ）上で送信される。ＣＣＥはＰＤＣＣＨに無線チャネル状態に基づくコーディングレートを提供するのに使われる論理的割当てユニットである。ＣＣＥは複数のリソース要素グループ（Ｒｅｓｏｕｒｃｅ  Ｅｌｅｍｅｎｔ  Ｇｒｏｕｐ、ＲＥＧ）に対応する。ＰＤＣＣＨのフォーマット及びＰＤＣＣＨビットの数はＣＣＥの数によって決定される。基地局は端末に送信されるＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付け加える。ＣＲＣはＰＤＣＣＨの所有者又は使用目的によって識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））でマスキングされる。例えば、ＰＤＣＣＨが特定の端末のためのものである場合、該当端末の識別子（例えば、Ｃｅｌｌ−ＲＮＴＩ（Ｃ−ＲＮＴＩ））がＣＲＣにマスキングされることができる。ＰＤＣＣＨがページングメッセージのためのものである場合、ページング識別子（例えば、Ｐａｇｉｎｇ−ＲＮＴＩ（Ｐ−ＲＮＴＩ））がＣＲＣにマスキングされる。ＰＤＣＣＨがシステム情報（より具体的に、システム情報ブロック（Ｓｙｓｔｅｍ  Ｉｎｆｏｒｍａｔｉｏｎ  Ｂｌｏｃｋ、ＳＩＢ））のためのものである場合、ＳＩ−ＲＮＴＩ（Ｓｙｓｔｅｍ  Ｉｎｆｏｒｍａｔｉｏｎ  ＲＮＴＩ）がＣＲＣにマスキングされる。ＰＤＣＣＨがランダム接続応答のためのものである場合、ＲＡ−ＲＮＴＩ（Ｒａｎｄｏｍ  Ａｃｃｅｓｓ−ＲＮＴＩ）がＣＲＣにマスキングされる。
【００４１】
ＰＤＣＣＨはＤＣＩ(ｄｏｗｎｌｉｎｋ  ｃｏｎｔｒｏｌ  ｉｎｆｏｒｍａｔｉｏｎ)と知られたメッセージを運び、ＤＣＩは１つの端末又は端末グループのためのリソース割り当て及び他の制御情報を含む。一般的に、複数のＰＤＣＣＨが１つのサブフレーム内で伝送される。各々のＰＤＣＣＨは１つ以上のＣＣＥ(Ｃｏｎｔｒｏｌ  Ｃｈａｎｎｅｌ  Ｅｌｅｍｅｎｔ)を用いて伝送され、各々のＣＣＥは９セットの４つのリソース要素に対応する。４つのリソース要素はＲＥＧ(Ｒｅｓｏｕｒｃｅ  Ｅｌｅｍｅｎｔ  Ｇｒｏｕｐ)と称される。４つのＱＰＳＫシンボルが１つのＲＥＧにマッピングされる。参照信号に割り当てられたリソース要素はＲＥＧに含まれず、これによって与えられたＯＦＤＭシンボル内でＲＥＧの総数はセル−特定(ｃｅｌｌ−ｓｐｅｃｉｆｉｃ)の参照信号の存在有無によって変わる。ＲＥＧ概念(即ち、グループ単位マッピング、各々のグループは４つのリソース要素を含む)は、他の下りリンク制御チャネル(ＰＣＦＩＣＨ及びＰＨＩＣＨ)にも使用される。即ち、ＲＥＧは制御領域の基本リソース単位として使用される。４つのＰＤＣＣＨフォーマットが表２のように支援される。
【００４２】
【表２】
2019527506.tif 000004
【００４３】
複数のＣＣＥは連続的にナンバーリングされて使用され、復号化プロセスを単純化するために、ｎ  ＣＣＥｓで構成されたフォーマットを有するＰＤＣＣＨはｎの倍数と同じ数を有するＣＣＥでのみ始まる。所定のＰＤＣＣＨの伝送のために使用されるＣＣＥの数は、チャネル条件に従って基地局により決定される。例えば、ＰＤＣＣＨが良好な下りリンクチャネル(例えば、基地局に近い)を有する端末のためのものである場合、１つのＣＣＥでも十分である。しかし、悪いチャネル(例えば、セル境界に近い)を有する端末の場合は、十分な堅牢さ(ｒｏｂｕｓｔｎｅｓｓ)を得るために、８つのＣＣＥが使用される。また、ＰＤＣＣＨのパーワレベルをチャネル条件に合わせて調節できる。
【００４４】
ＬＴＥに導入された方案は、各々の端末のためにＰＤＣＣＨが位置可能な制限されたセットにおけるＣＣＥ位置を定義することである。端末が自分のＰＤＣＣＨを探索できる制限されたセットにおけるＣＣＥの位置は、検索空間(Ｓｅａｒｃｈ  Ｓｐａｃｅ、ＳＳ)と称される。ＬＴＥにおいて、検索空間は各々のＰＤＣＣＨフォーマットによって異なるサイズを有する。また、ＵＥ−特定(ＵＥ−ｓｐｅｃｉｆｉｃ)及び共通(ｃｏｍｍｏｎ)の検索空間が別に定義される。ＵＥ−特定の検索空間(ＵＥ-Ｓｐｅｃｉｆｉｃ  Ｓｅａｒｃｈ  Ｓｐａｃｅ、ＵＳＳ)は、各々の端末のために個々に設定され、共通検索空間(Ｃｏｍｍｏｎ  Ｓｅａｒｃｈ  Ｓｐａｃｅ、ＣＳＳ)の範囲は全端末に通知される。ＵＥ−特定及び共通検索空間は、与えられた端末に対して重なり合うことができる。非常に小さい検索空間を有する時、所定の端末のための検索空間において一部のＣＣＥ位置が割り当てられた場合は残ったＣＣＥがないため、与えられたサブフレーム内で基地局はできる限り全ての端末にＰＤＣＣＨを伝送するＣＣＥリソースを見つけることができない。このようにブロッキングが次のサブフレームに続く可能性を最小化するために、ＵＥ−特定検索空間の開始位置に端末−特定ホッピングシーケンスが適用される。
【００４５】
表３は共通及びＵＥ−特定検索空間のサイズを表す。
【００４６】
【表３】
2019527506.tif 000005
【００４７】
ブラインドデコード(Ｂｌｉｎｄ  Ｄｅｃｏｄｉｎｇ；ＢＤ)の総回数による計算負荷を統制下におくために、端末は定義された全てのＤＣＩフォーマットを同時に検索することが要求されない。一般的に、ＵＥ−特定検索空間内で端末は常にフォーマット０と１Ａを検索する。フォーマット０と１Ａは同じサイズを有し、メッセージ内のフラグによって区分される。また端末は追加フォーマットを受信するように要求されることができる(例えば、基地局により設定されたＰＤＳＣＨ伝送モードによって１，１Ｂ又は２)。共通検索空間において端末はフォーマット１Ａ及び１Ｃをサーチする。また端末はフォーマット３又は３Ａをサーチするように設定されることができる。フォーマット３及び３Ａはフォーマット０及び１Ａと同じサイズを有し、端末−特定識別者よりは、互いに異なる(共通)識別者でＣＲＣをスクランブルすることにより区分される。以下、伝送モードによるＰＤＳＣＨの伝送技法、及びＤＣＩフォーマットの情報コンテンツを記載する。
【００４８】
伝送モード(Ｔｒａｎｓｍｉｓｓｉｏｎ  Ｍｏｄｅ、ＴＭ)
【００４９】
●  伝送モード１：単一基地局アンテナポートからの伝送
【００５０】
●  伝送モード２：伝送ダイバーシティ
【００５１】
●  伝送モード３：開−ループ空間多重化
【００５２】
●  伝送モード４：閉−ループ空間多重化
【００５３】
●  伝送モード５：多重ユーザ  ＭＩＭＯ
【００５４】
●  伝送モード６：閉−ループ  ランク−１プリコーディング
【００５５】
●  伝送モード７：単一−アンテナポート(ポート５)の伝送
【００５６】
●  伝送モード８：二重レイヤ伝送(ポート７及び８)又は単一−アンテナポート(ポート７又は８)の伝送
【００５７】
●  伝送モード９：最大８つのレイヤ伝送(ポート７乃至１４)又は単一−アンテナポート(ポート７又は８)の伝送
【００５８】
ＤＣＩフォーマット
【００５９】
●  フォーマット０：ＰＵＳＣＨ伝送(上りリンク)のためのリソースグラント
【００６０】
●  フォーマット１：単一コードワード  ＰＤＳＣＨの伝送(伝送モード１，２及び７)のためのリソース割り当て
【００６１】
●  フォーマット１Ａ：単一コードワード  ＰＤＳＣＨ(全てのモード)のためのリソース割り当てのコンパクトシグナリング
【００６２】
●  フォーマット１Ｂ：ランク−１  閉−ループ  プリコーディングを用いるＰＤＳＣＨ(モード６)のためのコンパクトリソースの割り当て
【００６３】
●  フォーマット１Ｃ：ＰＤＳＣＨ(例えば、ページング／ブロードキャスティングシステム情報)のための非常にコンパクトなリソースの割り当て
【００６４】
●  フォーマット１Ｄ：多重ユーザ  ＭＩＭＯを用いるＰＤＳＣＨ(モード５)のためのコンパクトなリソースの割り当て
【００６５】
●  フォーマット２：閉−ループ  ＭＩＭＯ動作のＰＤＳＣＨ(モード４)のためのリソースの割り当て
【００６６】
●  フォーマット２Ａ：開−ループ  ＭＩＭＯ動作のＰＤＳＣＨ(モード３)のためのリソースの割り当て
【００６７】
●  フォーマット３／３Ａ：ＰＵＣＣＨ及びＰＵＳＣＨのために２ビット／１ビットのパワー調整値を有するパワーコントロールコマンド
【００６８】
図５はＥＰＤＣＣＨを例示する図であえる。ＥＰＤＣＣＨはＬＴＥ−Ａでさらに導入されたチャネルである。
【００６９】
図５を参照すると、サブフレームの制御領域(図４参照)には既存ＬＴＥによるＰＤＣＣＨ(便宜上、Ｌｅｇａｃｙ  ＰＤＣＣＨ、Ｌ−ＰＤＣＣＨ)が割り当てられる。図において、Ｌ−ＰＤＣＣＨ領域は、Ｌ−ＰＤＣＣＨが割り当てられる領域を意味する。なお、データ領域(例えば、ＰＤＳＣＨのためのリソース領域)内には、さらにＰＤＣＣＨが割り当てられることができる。データ領域に割り当てられたＰＤＣＣＨをＥＰＤＣＣＨと称する。図示したように、ＥＰＤＣＣＨを介してさらに制御チャネルリソースを確保することにより、Ｌ−ＰＤＣＣＨ領域の制限された制御チャネルリソースによるスケジューリング制約を緩和できる。Ｌ−ＰＤＣＣＨと同様に、ＥＰＤＣＣＨはＤＣＩを運ぶ。例えば、ＥＰＤＣＣＨは下りリンクスケジューリング情報、上りリンクスケジューリング情報を運ぶことができる。例えば、端末はＥＰＤＣＣＨを受信し、ＥＰＤＣＣＨに対応するＰＤＳＣＨを介してデータ／制御情報を受信する。また端末はＥＰＤＣＣＨを受信し、ＥＰＤＣＣＨに対応するＰＵＳＣＨを介してデータ／制御情報を送信する。セルタイプによってＥＰＤＣＣＨ／ＰＤＳＣＨはサブフレームの１番目のＯＦＤＭシンボルから割り当てられることができる。特に区別しない限り、この明細書でＰＤＣＣＨはＬ−ＰＤＣＣＨとＥＰＤＣＣＨを全て含む。
【００７０】
図６はＬＴＥ（−Ａ）で使用される上りリンクサブフレームの構造を例示する図である。
【００７１】
図６を参照すると、サブフレーム５００は２つの０．５ｍｓスロット５０１で構成される。普通(Ｎｏｒｍａｌ)循環前置(Ｃｙｃｌｉｃ  Ｐｒｅｆｉｘ、ＣＰ)の長さを仮定した時、各々のスロットは７つのシンボル５０２で構成され、１つのシンボルは１つのＳＣ−ＦＤＭＡシンボルに対応する。リソースブロック(Ｒｅｓｏｕｒｃｅ  Ｂｌｏｃｋ、ＲＢ)５０３は周波数領域で１２つの副搬送波、また時間領域で１つのスロットに該当するリソース割り当て単位である。ＬＴＥ（−Ａ）の上りリンクサブフレームの構造は大きくデータ領域５０４と制御領域５０５に区分される。データ領域は各々の端末に伝送される音声、パケットなどのデータ送信に使用される通信リソースを意味し、ＰＵＳＣＨ(Ｐｈｙｓｉｃａｌ  Ｕｐｌｉｎｋ  Ｓｈａｒｅｄ  Ｃｈａｎｎｅｌ)を含む。制御領域は上りリンク制御信号、例えば、各々の端末からの下りリンクチャネル品質報告、下りリンク信号に対する受信ＡＣＫ／ＮＡＣＫ、上りリンクスケジューリング要請などの伝送に使用される通信リソースを意味し、ＰＵＣＣＨ(Ｐｈｙｓｉｃａｌ  Ｕｐｌｉｎｋ  Ｃｏｎｔｒｏｌ  Ｃｈａｎｎｅｌ)を含む。サウンディング参照信号(Ｓｏｕｎｄｉｎｇ  Ｒｅｆｅｒｅｎｃｅ  Ｓｉｇｎａｌ、ＳＲＳ)は１つのサブフレームで時間軸上で最後に位置するＳＣ−ＦＤＭＡシンボルを介して伝送される。同じサブフレームの最後のＳＣ−ＦＤＭＡで伝送される複数の端末のＳＲＳは、周波数位置／シーケンスによって区分できる。ＳＲＳは上りリンクのチャネル状態を基地局に伝送するために使用され、上り階層(例えば、ＲＲＣ階層)により設定されたサブフレームの周期／オフセットによって周期的に伝送されるか、或いは基地局の要請によって非周期的に伝送される。
【００７２】
図７はＳＣ−ＦＤＭＡ方式とＯＦＤＭＡ方式を例示する図である。３ＧＰＰシステムにおいては、下りリンクでＯＦＤＭＡを採用し、上りリンクでＳＣ−ＦＤＭＡを採用する。
【００７３】
図７を参照すると、上りリンクの信号伝送のための端末及び下りリンクの信号伝送のための基地局はいずれも直列−並列コンバーター４０１(Ｓｅｒｉａｌ-ｔｏ-Ｐａｒａｌｌｅｌ  Ｃｏｎｖｅｒｔｅｒ)、副搬送波マッパー４０３(ｍａｐｐｅｒ)、Ｍ−ポイントＩＤＦＴモジュール４０４及びＣＰ(Ｃｙｃｌｉｃ  Ｐｒｅｆｉｘ)追加モジュール４０６を含む点で同一である。但し、ＳＣ−ＦＤＭＡ方式で信号を伝送するための端末は、さらにＮ−ポイントＤＦＴモジュール４０２を含む。Ｎ−ポイントＤＦＴモジュール４０２は、Ｍ−ポイントＩＤＦＴモジュール４０４のＩＤＦＴ処理影響を一定部分相殺することにより伝送信号が単一搬送波特性(ｓｉｎｇｌｅ  ｃａｒｒｉｅｒ  ｐｒｏｐｅｒｔｙ)を有するようにする。
【００７４】
次に、ＨＡＲＱ(Ｈｙｂｒｉｄ  Ａｕｔｏｍａｔｉｃ  Ｒｅｐｅａｔ  ｒｅＱｕｅｓｔ)について説明する。無線通信システムにおいて、上り／下りリンクで伝送するデータを有する端末が多数存在する時、基地局は伝送単位時間(Ｔｒａｎｓｍｉｓｓｉｏｎ  Ｔｉｍｅ  Ｉｎｔｅｒｖａｌ、ＴＴＩ)(例えば、サブフレーム)ごとにデータを伝送する端末を選択する。多重搬送波及びこれと同様に運営されるシステムにおいて、基地局はＴＴＩごとに上り／下りリンクでデータを伝送する端末を選択し、該当端末がデータ伝送のために使用する周波数帯域も一緒に選択する。
【００７５】
上りリンクを基準として説明すると、複数の端末は上りリンクを介して参照信号(又はパイロット)を伝送し、基地局は端末から伝送された参照信号を用いて端末のチャネル状態を把握してＴＴＩごとに各々の単位周波数帯域において上りリンクを介してデータを伝送する端末を選択する。基地局はその結果を端末に通知する。即ち、基地局は、特定のＴＴＩに上りリンクスケジューリングされた端末に特定の周波数帯域を用いてデータを伝送せよという上りリンク割り当てメッセージ(ａｓｓｉｇｎｍｅｎｔ  ｍｅｓｓａｇｅ)を伝送する。上りリンク割り当てメッセージは、ＵＬグラント(ｇｒａｎｔ)とも称される。端末は上りリンク割り当てメッセージによってデータを上りリンクに伝送する。上りリンク割り当てメッセージは、端末ＩＤ(ＵＥ  Ｉｄｅｎｔｉｔｙ)、ＲＢ割り当て情報、ＭＣＳ(Ｍｏｄｕｌａｔｉｏｎ  ａｎｄ  Ｃｏｄｉｎｇ  Ｓｃｈｅｍｅ)、ＲＶ(Ｒｅｄｕｎｄａｎｃｙ  Ｖｅｒｓｉｏｎ)バージョン、新規データ指示者(Ｎｅｗ  Ｄａｔａ  ｉｎｄｉｃａｔｉｏｎ、ＮＤＩ)などを含む。
【００７６】
同期(Ｓｙｎｃｈｒｏｎｏｕｓ)ＨＡＲＱ方式の場合、再伝送時間はシステム的に約束されている(例えば、ＮＡＣＫ受信時点から４サブフレーム後)(同期ＨＡＲＱ)。従って、基地局が端末に送信するＵＬグラントメッセージは初期伝送時にのみ送信すればいい。その後の再伝送はＡＣＫ／ＮＡＣＫ信号(例えば、ＰＨＩＣＨ信号)により行われる。非同期ＨＡＲＱ方式の場合、再伝送時間を互いに約束していないため、基地局が端末に再伝送要請メッセージを出さなければならない。また非適応(ｎｏｎ-ａｄａｐｔｉｖｅ)ＨＡＲＱ方式の場合は、再伝送のための周波数リソースやＭＣＳは以前の伝送と同一であり、適応ＨＡＲＱ方式の場合、再伝送のための周波数リソースやＭＣＳが以前の伝送と異なることができる。一例として、非同期適応ＨＡＲＱ方式の場合、再伝送のための周波数リソースやＭＣＳが伝送時点ごとに異なるので、再伝送要請メッセージは端末ＩＤ、ＲＢ割り当て情報、ＨＡＲＱプロセスＩＤ／番号、ＲＶ、ＮＤＩ情報を含むことができる。
【００７７】
図８はＬＴＥ（−Ａ）システムにおいてＵＬ  ＨＡＲＱ動作を例示する図である。ＬＴＥ(−Ａ)システムにおいて、ＵＬ  ＨＡＲＱ方式は同期非適応ＨＡＲＱを使用する。８チャネルＨＡＲＱを使用する場合、ＨＡＲＱプロセス番号は０〜７である。ＴＴＩ(例えば、サブフレーム)ごとに１つのＨＡＲＱプロセスが動作する。図８を参照すると、基地局１１０はＰＤＣＣＨを介してＵＬグラントを端末１２０に伝送する(Ｓ６００)。端末１２０はＵＬグラントを受信した時点(例えば、サブフレーム０)から４サブフレーム後(例えば、サブフレーム４)にＵＬグラントにより指定されたＲＢ及びＭＣＳを用いて基地局１１０に上りリンクデータを伝送する(Ｓ６０２)。基地局１１０は端末１２０から受信した上りリンクデータを復号した後、ＡＣＫ／ＮＡＣＫを生成する。上りリンクデータに対する復号が失敗した場合、基地局１１０は端末１２０にＮＡＣＫを伝送する(Ｓ６０４)。端末１２０はＮＡＣＫを受信した時点から４サブフレーム後に上りリンクデータを再伝送する(Ｓ６０６)。上りリンクデータの初期伝送と再伝送は同じＨＡＲＱプロセッサが担当する(例えば、ＨＡＲＱプロセス４)。ＡＣＫ／ＮＡＣＫ情報はＰＨＩＣＨを介して伝送される。
【００７８】
なお、ＬＴＥ（−Ａ）システムにおいて、ＤＬ  ＨＡＲＱ方式は非同期適応ＨＡＲＱを使用する。具体的には、基地局１１０はＰＤＣＣＨを通じてＤＬグラントを端末１２０に伝送する。端末１２０はＤＬグラントを受信した時点(例えば、サブフレーム０)にＤＬグラントにより指定されたＲＢ及びＭＣＳを用いて基地局Ｓ１１０から下りリンクデータを受信する。端末１２０は下りリンクデータを復号した後、ＡＣＫ／ＮＡＣＫを生成する。下りリンクデータに対する復号が失敗した場合、端末１２０は下りリンクデータを受信した時点から４サブフレーム後(例えば、サブフレーム４)に基地局１１０にＮＡＣＫを伝送する。その後、基地局１１０は所望の時点(例えば、サブフレームＸ)にＰＤＣＣＨを通じて下りリンクデータの再伝送を指示するＤＬグラントを端末１２０に伝送する。端末１２０はＤＬグラントを受信した時点(例えば、サブフレームＸ)にＤＬグラントにより指定されたＲＢ及びＭＣＳを用いて基地局Ｓ１１０から下りリンクデータを再受信する。
【００７９】
基地局／端末にはＤＬ／ＵＬ伝送のために複数の並列ＨＡＲＱプロセスが存在する。複数の並列ＨＡＲＱプロセスは、以前のＤＬ／ＵＬ伝送に対する成功又は非成功の受信に対するＨＡＲＱフィードバックを待つ間にＤＬ／ＵＬ伝送が連続的に行われるようにする。各々のＨＡＲＱプロセスは、ＭＡＣ(Ｍｅｄｉｕｍ  Ａｃｃｅｓｓ  Ｃｏｎｔｒｏｌ)階層のＨＡＲＱバッファに連関される。各々のＨＡＲＱプロセスはバッファ内のＭＡＣ  ＰＤＵ(Ｐｈｙｓｉｃａｌ  Ｄａｔａ  Ｂｌｏｃｋ)の伝送回数、バッファ内のＭＡＣ  ＰＤＵに対するＨＡＲＱフィードバック、現在の冗長度バージョン(ｒｅｄｕｎｄａｎｃｙ  ｖｅｒｓｉｏｎ)などに関する状態変数を管理する。
【００８０】
ＨＡＲＱプロセスはデータ(例えば、伝送ブロック(Ｔｒａｎｓｐｏｒｔ  Ｂｌｏｃｋ、ＴＢ))の信頼性のある伝送を担当する。チャネルのコーディング時、伝送ブロックはチャネルエンコーダーのサイズを考慮して１つ以上のコードブロック(Ｃｏｄｅ  Ｂｌｏｃｋ、ＣＢ)に分けられる。チャネルのコーディング後、１つ以上のコードブロックは結合されて伝送ブロックに対応するコードワード(Ｃｏｄｅｗｏｒｄ、ＣＷ)を構成する。
【００８１】
図９は伝送ブロック(ＴＢ)の処理過程を例示する図である。図９に示した過程はＤＬ−ＳＣＨ、ＰＣＨ及びＭＣＨ(ｍｕｌｔｉｃａｓｔ  ｃｈａｎｎｅｌ)伝送チャネルのデータに適用できる。上りリンクＴＢ(或いは、上りリンク伝送チャネルのデータ)も同様に処理できる。
【００８２】
図９を参照すると、送信器はＴＢにエラーチェックのためにＣＲＣ(例えば、２４ビット)(ＴＢ  ＣＲＣ)を付加する。その後、送信器はチャネルエンコーダーのサイズを考慮してＴＢ＋ＣＲＣを複数のコードブロックに分ける。ＬＴＥ（−Ａ）において、コードブロックの最大サイズは６１４４ビットである。従って、ＴＢサイズが６１４４ビット以下であると、コードブロックは構成されず、ＴＢサイズが６１４４ビットより大きい場合、ＴＢは６１４４ビットの単位に分割されて複数のコードブロックが構成される。各々のコードブロックにはエラーチェックのためにＣＲＣ(例えば、２４ビット)(ＣＢ  ＣＲＣ)が個々に付加される。各々のコードブロックはチャネルコーディング及びレートマッチングの後に１つにまとまってコードワードを構成する。ＬＴＥ（−Ａ）において、データスケジューリングとそれによるＨＡＲＱ過程はＴＢ単位で行われ、ＣＢ  ＣＲＣはＴＢデコードの早期終了(ｅａｒｌｙ  ｔｅｒｍｉｎａｔｉｏｎ)を判断するために使用される。
【００８３】
ＨＡＲＱプロセスはＰＨＹ(Ｐｈｙｓｉｃａｌ)階層で伝送ブロックのためのソフトバッファとコードブロックのためのソフトバッファに連関される。伝送端においてｒ番目のコードブロックのための長さ
2019527506.tif 000006
の循環バッファは以下のように生成される。
【００８４】
[式１]
2019527506.tif 000007
【００８５】
NIRビットは伝送ブロックのためのソフトバッファのサイズを、Ncbはｒ番目のコードブロックのためのソフトバッファのサイズを示す。Ncbは以下のように求められ、Ｃはコードブロックの数を示す。
【００８６】
[式２]
2019527506.tif 000008
【００８７】
NIRは以下の通りである。
【００８８】
[式３]
2019527506.tif 000009
【００８９】
ここで、Ｎｓｏｆｔは端末能力によるソフトチャネルのビットの総数を示す。
【００９０】
Ｉｆ  Ｎｓｏｆｔ＝３５９８２７２０、ｋＣ＝５、
【００９１】
ｅｌｓｅ  ｉｆ  Ｎｓｏｆｔ＝３６５４１４４であり、端末がＤＬセルに対して最大２つの空間レイヤを支援できる場合、ｋＣ＝２
【００９２】
ｅｌｓｅ  ＫＣ＝１
【００９３】
Ｅｎｄ  ｉｆ．
【００９４】
KMIMOは、端末が伝送モード３、４、８又は９に基づいてＰＤＳＣＨ伝送を受信するように構成された場合には２であり、その他の場合には１である。
【００９５】
MDL_HARQはＤＬ  ＨＡＲＱプロセスの最大個数である。
【００９６】
0Mlimitは８である。
【００９７】
ＦＤＤ及びＴＤＤにおいて、端末が２以上のサービングセルを有するように構成され、各々のサービングセルに対して少なくとも
2019527506.tif 000010
個の伝送ブロックについて伝送ブロックのコードブロックのデコードが失敗した場合、端末は少なくとも
2019527506.tif 000011
の範囲に対応する受信されたソフトチャネルビットを貯蔵する。ｎＳＢは以下の式により求められる。
【００９８】
[式４]
2019527506.tif 000012
【００９９】
2019527506.tif 000013
【０１００】
MDL_HARQはＤＬ  ＨＡＲＱプロセスの最大個数である。
【０１０１】
2019527506.tif 000014
は構成されたサービングセルの数である。
【０１０２】
2019527506.tif 000015
は端末能力によるソフトチャネルのビットの総数を示す。
【０１０３】
ｋの決定時、端末は低い値のｋ
に対応するソフトチャネルのビットの貯蔵を優先する。ｗｋは受信されたソフトチャネルのビットに対応する。範囲
2019527506.tif 000016
は受信されたソフトチャネルのビットが含まないサブセットを含むことができる。
【０１０４】
ＬＴＥにおいてＵＬ伝送のためのスケジューリングは、端末のＵＬ伝送タイミングが同期化された場合にのみ可能である。ランダム接続過程は様々な用途に使用される。例えば、ランダム接続過程はネットワーク初期接続、ハンドオーバー、データの発生時に行われる。また端末はランダム接続過程によりＵＬ同期を得ることができる。ＵＬ同期が得られると、基地局は該当端末にＵＬ伝送のためのリソースを割り当てる。ランダム接続過程は衝突基盤(ｃｏｎｔｅｎｔｉｏｎ  ｂａｓｅｄ)過程と非衝突基盤(ｎｏｎ-ｃｏｎｔｅｎｔｉｏｎ  ｂａｓｅｄ)過程に区分される。
【０１０５】
図１０は衝突基盤のランダム接続過程を例示する図である。
【０１０６】
図１０を参照すると、端末はシステム情報を通じて基地局からランダム接続に関する情報を受信する。その後、ランダム接続が必要であれば、端末はランダム接続プリアンブル(メッセージ１ともいう)を基地局に伝送する(Ｓ７１０)。基地局が端末からランダム接続プリアンブルを受信すると、基地局はランダム接続応答メッセージ(Ｒａｎｄｏｍ  Ａｃｃｅｓｓ  Ｒｅｓｐｏｎｓｅ；メッセージ２ともいう)を端末に伝送する(Ｓ７２０)。具体的には、ランダム接続応答メッセージに対する下りスケジューリング情報はＲＡ−ＲＮＴＩ(Ｒａｎｄｏｍ  Ａｃｃｅｓｓ-ＲＮＴＩ)にＣＲＣマスキングされてＬ１／Ｌ２制御チャネル(ＰＤＣＣＨ)上で伝送される。ＲＡ−ＲＮＴＩにマスキングされた下りスケジューリング信号を受信した端末は、ＰＤＳＣＨからランダム接続応答メッセージを受信してデコード(ｄｅｃｏｄｉｎｇ)する。その後、端末はランダム接続応答メッセージに自分に指示されたランダム接続応答情報があるか否かを確認する。自分に指示されたランダム接続応答情報があるか否かは、端末が伝送したプリアンブルに対するＲＡＩＤ(Ｒａｎｄｏｍ  Ａｃｃｅｓｓ  ｐｒｅａｍｂｌｅ  ＩＤ)が存在するか否かによって確認できる。ランダム接続応答情報は同期化のためのタイミングオフセット情報を表すタイミングアドバンス(Ｔｉｍｉｎｇ  Ａｄｖａｎｃｅ、ＴＡ)、上りリンクに使用される無線リソース割り当て情報、端末識別のための臨時識別者(例えば、Ｔ−ＣＲＮＴＩ)などを含む。端末はランダム接続応答情報を受信すると、応答情報に含まれた無線リソース割り当て情報によって上りＳＣＨ(Ｓｈａｒｅｄ  Ｃｈａｎｎｅｌ)に上りメッセージ(メッセージ３ともいう)を伝送する(Ｓ７３０)。基地局はＳ７３０での上りメッセージを端末から受信した後、衝突解決メッセージ(ｃｏｎｔｅｎｔｉｏｎ  ｒｅｓｏｌｕｔｉｏｎ；メッセージ４ともいう)を端末に伝送する(Ｓ７４０)。
【０１０７】
図１１は非衝突基盤のランダム接続過程を例示する図である。非衝突基盤のランダム接続過程はハンドオーバー過程で使用されるか或いは基地局の命令によって要請される場合に存在する。基本的な過程は競争基盤のランダム接続過程と同一である。
【０１０８】
図１１を参照すると、端末は基地局から自分だけのためのランダム接続プリアンブル(即ち、専用(ｄｅｄｉｃａｔｅｄ)ランダム接続プリアンブル)が割り当てられる(Ｓ８１０)。専用ランダム接続プリアンブル指示情報(例えば、プリアンブルインデックス)は、ハンドオーバー命令メッセージに含まれるか、或いはＰＤＣＣＨを介して受信される。端末は専用ランダム接続プリアンブルを基地局に伝送する(Ｓ８２０)。その後、端末は基地局からランダム接続応答を受信し(Ｓ８３０)、ランダム接続過程を終了する。
【０１０９】
非衝突基盤のランダム接続過程をＰＤＣＣＨ命令(ｏｒｄｅｒ)により開始するために、ＤＣＩフォーマット１Ａが使用される。ＤＣＩフォーマット１Ａは、１つのＰＤＳＣＨコードワードに対してコンパクトスケジューリングするためにも使用される。ＤＣＩフォーマット１Ａを用いて以下の情報を伝送する。
【０１１０】
−ＤＣＩフォーマット０／１Ａを区分するためのフラグ：１ビット。フラグ値０はＤＣＩフォーマット０を示し、フラグ値１はＤＣＩフォーマット１Ａを示す。
【０１１１】
ＤＣＩフォーマット１ＡのＣＲＣがＣ−ＲＮＴＩでスクランブルされた後に残った全てのフィールドが以下のようにセットされた場合、ＤＣＩフォーマット１ＡはＰＤＣＣＨ命令によるランダム接続過程のために使用される。
【０１１２】
−偏在(ｌｏｃａｌｉｚｅｄ)／分散(ｄｉｓｔｒｉｂｕｔｅｄ)  ＶＲＢ(Ｖｉｒｔｕａｌ  Ｒｅｓｏｕｒｃｅ  Ｂｌｏｃｋ)割り当てフラグ：１ビット。フラグが０にセットされる。
【０１１３】
−リソースブロック割り当て情報：
2019527506.tif 000017
ビット。全ビットが１にセットされる。
【０１１４】
−プリアンブル(ｐｒｅａｍｂｌｅ)インデックス：６ビット
【０１１５】
−ＰＲＡＣＨマスクインデックス：４ビット
【０１１６】
−ＤＣＩフォーマット１ＡでＰＤＳＣＨコードワードのコンパクトスケジューリングのために残った全ビットが０にセットされる。
【０１１７】
図１２はキャリア併合（Ｃａｒｒｉｅｒ  Ａｇｇｒｅｇａｔｉｏｎ、ＣＡ）通信システムを例示する。
【０１１８】
図１２を参照すると、複数のＵＬ／ＤＬコンポーネントキャリア（Ｃｏｍｐｏｎｅｎｔ  Ｃａｒｒｉｅｒ、ＣＣ）はより広いＵＬ／ＤＬ帯域幅を支援することができる。ＣＣは周波数領域で互いに隣接するか隣接しない。各ＣＣの帯域幅は独立的に決定できる。ＵＬ  ＣＣの数とＤＬのＣＣの数が異なる非対称キャリアの併合も可能である。なお、制御情報は特定のＣＣを通じてのみ送受信できるように設定される。この特定のＣＣをプライマリーＣＣと称し、その他のＣＣをセカンダリーＣＣと称する。一例として、クロス−キャリアスケジューリング(ｃｒｏｓｓ-ｃａｒｒｉｅｒ  ｓｃｈｅｄｕｌｉｎｇ)(又はクロス−ＣＣスケジューリング)が適用される場合、下りリンク割り当てのためのＰＤＣＣＨはＤＬ  ＣＣ＃０に伝送され、該当ＰＤＳＣＨはＤＬ  ＣＣ＃２に伝送される。用語‘コンポーネントキャリア’は等価の他の用語(例えば、キャリア、セルなど)に代替できる。
【０１１９】
クロス−ＣＣスケジューリングのために、ＣＩＦ(ｃａｒｒｉｅｒ  ｉｎｄｉｃａｔｏｒ  ｆｉｅｌｄ)が使用される。ＰＤＣＣＨ内にＣＩＦの存在又は不在のための設定が、半−静的に端末−特定(又は端末グループ−特定)に上位階層シグナリング(例えば、ＲＲＣシグナリング)によって可能になる(ｅｎａｂｌｅ)。以下、ＰＤＣＣＨ伝送の基本事項を整理する。
【０１２０】
□■□ＣＩＦディセーブルド（ｄｉｓａｂｌｅｄ）：ＤＬ  ＣＣ上のＰＤＣＣＨは同じＤＬ  ＣＣ上のＰＤＳＣＨリソースを割り当てるか一つのリンクされたＵＬ  ＣＣ上のＰＵＳＣＨリソースを割り当てる。
【０１２１】
●  Ｎｏ  ＣＩＦ
【０１２２】
□■□ＣＩＦイネーブルド（ｅｎａｂｌｅｄ）：ＤＬ  ＣＣ上のＰＤＣＣＨはＣＩＦを用いて複数の併合されたＤＬ／ＵＬ  ＣＣのうち特定のＤＬ／ＵＬ  ＣＣ上のＰＤＳＣＨ又はＰＵＳＣＨリソースを割り当てることができる
【０１２３】
●  ＣＩＦを有するように拡張されたＬＴＥ  ＤＣＩフォーマット
【０１２４】
−  ＣＩＦ(設定された場合)は固定されたｘ−ビットフィールド(例えば、Ｘ＝３)
【０１２５】
−  ＣＩＦ(設定された場合)の位置はＤＣＩフォーマットサイズに関係なく固定される。
【０１２６】
ＣＩＦの存在時、基地局は端末側のＢＤ複雑度を低くするために、モニタリングＤＬ  ＣＣ(セット)を割り当てることができる。ＰＤＳＣＨ／ＰＵＳＣＨスケジューリングのために、端末は該当ＤＬ  ＣＣでのみＰＤＣＣＨの検出／復号を行う。また基地局はモニタリングＤＬ  ＣＣ(セット)を通じてのみＰＤＣＣＨを伝送できる。モニタリングＤＬ  ＣＣセットは端末−特定、端末−グループ−特定又はセル−特定の方式でセットされる。
【０１２７】
図１３は複数のキャリアが併合された場合のスケジューリングを例示する。３個のＤＬ  ＣＣが併合され、ＤＬ  ＣＣＡがＰＤＣＣＨモニタリングＤＬ  ＣＣに設定された場合を例示する。 ＤＬ  ＣＣＡ〜ＣはサービングＣＣ、サービングキャリア、サービングセルなどと言える。ＣＩＦがディセーブルされた場合、それぞれのＤＬ  ＣＣはＬＴＥ  ＰＤＣＣＨ規則に従ってＣＩＦなしに自分のＰＤＳＣＨをスケジュールするＰＤＣＣＨのみを送信することができる(非クロス−ＣＣ  スケジューリング)。反面、端末−特定(又は端末−グループ−特定又はセル−特定)の上位階層シグナリングによってＣＩＦが可能になると、特定のＣＣ(例えば、ＤＬ  ＣＣ  Ａ)はＣＩＦを用いてＤＬ  ＣＣ  ＡのＰＤＳＣＨをスケジューリングするＰＤＣＣＨだけではなく、他のＣＣのＰＤＳＣＨをスケジューリングするＰＤＣＣＨも伝送できる(クロス−ＣＣ  スケジューリング)。反面、ＤＬ  ＣＣ  Ｂ／ＣではＰＤＣＣＨが伝送されない。
【０１２８】
一方、ミリメートルウエーブ(ｍｍＷ)は信号の波長が短いので、同一の面積に多数のアンテナを設けることができる。例えば、３０ＧＨｚ帯域において波長は１ｃｍであるので、５ｂｙ５ｃｍのパネルに０．５λ(波長)間隔の２次元配列形態で総１００個のアンテナ要素を設けることができる。従って、ｍｍＷシステムでは、多数のアンテナ要素を使用してビーム形成(ＢＦ)利得を上げてカバレッジを増加させるか、或いはスループットを向上させることができる。
【０１２９】
これに関連して、アンテナ要素ごとに伝送パワー及び位相の調節ができるように、ＴＸＲＵ(ｔｒａｎｓｃｅｉｖｅｒ)を有しかつ周波数リソースごとに独立的なビーム形成を行うことができる。しかし、１００個の全てのアンテナ要素にＴＸＲＵを設けることは費用面で実効性が乏しい。従って、１つのＴＸＲＵに多数のアンテナ要素をマッピングし、アナログ位相シフターでビーム方向を調節する方式が考えられる。かかるアナログビーム形成方式は、全帯域において１つのビーム方向のみを形成できるので、周波数選択的なビーム形成が難しいという短所がある。デジタルＢＦ及びアナログＢＦの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素の連結方式によって差はあるが、同時に伝送可能なビームの方向はＢ個以下に制限される。
【０１３０】
図１４はアナログビーム形成を例示する図である。図１４を参照すると、送信器は時間によってビームの方向を変化して信号を伝送し(送信ビーム形成)、受信器も時間によってビームの方向を変化して信号を受信することができる(受信ビーム形成)。一定の時区間内において、(ｉ)送信ビームと受信ビームは時間によって同時にビームの方向が変化するか、(ii)送信ビームは固定した状態で受信ビームの方向のみが時間によって変化するか、或いは(iii)受信ビームは固定した状態で送信ビームの方向のみが時間によって変化することができる。
【０１３１】
一方、次世代ＲＡＴ(Ｒａｄｉｏ  Ａｃｃｅｓｓ  Ｔｅｃｈｎｏｌｏｇｙ)においては、データ伝送遅延(ｌａｔｅｎｃｙ)を最小化するために、自己完結(ｓｅｌｆ-ｃｏｎｔａｉｎｅｄ)サブフレームが考えられている。図１５は自己完結サブフレームの構造を例示している。図１５において、斜線領域はＤＬ制御領域を示し、黒色部分はＵＬ制御領域を示す。その他の領域はＤＬデータ伝送又はＵＬデータ伝送のために使用される。１つのサブフレーム内でＤＬ伝送とＵＬ伝送が順に行われるので、サブフレーム内でＤＬデータを出し、ＵＬ  ＡＣＫ／ＮＡＣＫを受けることができる。結果として、データ伝送エラーの発生時にデータ再伝送までにかかる時間を短縮させることにより、最終データ伝達の遅延を最小化することができる。
【０１３２】
構成／設定が可能な自己完結サブフレームタイプの例として、少なくとも以下の４つのタイプが考えられる。各々の区間は時間順に並んでいる。
【０１３３】
−ＤＬ制御区間＋ＤＬデータ区間＋ＧＰ(Ｇｕａｒｄ  Ｐｅｒｉｏｄ)＋ＵＬ制御区間
【０１３４】
−ＤＬ制御区間＋ＤＬデータ区間
【０１３５】
−ＤＬ制御区間＋ＧＰ＋ＵＬデータ区間＋ＵＬ制御区間
【０１３６】
−ＤＬ制御区間＋ＧＰ＋ＵＬデータ区間
【０１３７】
ＤＬ制御区間ではＰＤＦＩＣＨ、ＰＨＩＣＨ、ＰＤＣＣＨが伝送され、ＤＬデータ区間ではＰＤＳＣＨが伝送される。ＵＬ制御区間ではＰＵＣＣＨが伝送され、ＵＬデータ区間ではＰＵＳＣＨが伝送される。ＧＰは基地局と端末が送信モードから受信モードに転換される過程又は受信モードから送信モードに転換される過程で時間ギャップを提供する。サブフレーム内においてＤＬからＵＬに転換される時点の一部ＯＦＤＭシンボルがＧＰと設定される。
【０１３８】
実施例
【０１３９】
既存のＬＴＥシステムの場合、ＤＬデータのサイズ(即ち、ＴＢＳ)が一定水準以上になると、ＰＤＳＣＨを通じて送信されるビットストリーム(即ち、ＴＢ)は複数のＣＢに分割され、各々のＣＢごとにチャネルコーディング及びＣＲＣが適用される(図９を参照)。端末は１つのＴＢに含まれている複数のＣＢのうち１つでも受信(例えば、デコード)に失敗すると、該当ＴＢに対応するＨＡＲＱ−ＡＣＫフィードバックをＮＡＣＫと基地局に報告する。これにより基地局は該当ＴＢに対応する全てのＣＢを再伝送する。言い換えれば、既存のＬＴＥ（−Ａ）においてＤＬデータに対するＨＡＲＱ動作は、基地局からのＴＢ単位のスケジューリング／伝送及びこれに対応する端末からのＴＢ単位のＨＡＲＱ−ＡＣＫフィードバック構成に基づいて行われる。
【０１４０】
一方、次世代ＲＡＴ(以下、ｎｅｗ  ＲＡＴ)システムでは、基本的にＬＴＥに比べて広い(ｗｉｄｅｒ)システム(キャリア)ＢＷ(ｂａｎｄｗｉｄｔｈ)を有し、これにより既存のＬＴＥより(最大)ＴＢＳが広くなる可能性が高い。よって、１つのＴＢを構成するＣＢの数もＬＴＥより多くなる。従って、ｎｅｗ  ＲＡＴシステムで既存のようにＴＢ単位のＨＡＲＱ−ＡＣＫフィードバックを行うと、一部のＣＢにのみデコードエラー(即ち、ＮＡＣＫ)が発生した場合にもＴＢ単位の再伝送スケジューリングが伴うので、リソース使用の効率性が低下する。またｎｅｗ  ＲＡＴシステムでは、大きい時間区間(ＴＴＩ)を有する遅延−鈍感(ｄｅｌａｙ−ｉｎｓｅｎｓｉｔｉｖｅ)データタイプ１(例えば、ｅｎｈａｎｃｅｄ  Ｍｏｂｉｌｅ  Ｂｒｏａｄｂａｎｄ、ｅＭＢＢ)の伝送に割り当てられたリソースの一部(シンボル)を通じて、小さい時間区間(ＴＴＩ)を有する遅延−敏感データタイプ２(例えば、Ｕｌｔｒａ−Ｒｅｌｉａｂｌｅ  Ｌｏｗ  Ｌａｔｅｎｃｙ  Ｃｏｍｍｕｎｉｃａｔｉｏｎｓ、ＵＲＬＬＣ)がデータタイプ１をパンクチャリングする形態で伝送されることができる。さらに、時間−選択的(ｔｉｍｅ−ｓｅｌｅｃｔｉｖｅ)特性を有する干渉信号の影響により、データタイプ１に対して１つのＴＢを構成する複数のＣＢのうち、所定の一部にのみデコードエラー(即ち、ＮＡＣＫ)が集中する現象が発生する。
【０１４１】
本発明では、かかるｎｅｗ  ＲＡＴシステムの特性を考慮して、ＣＢ又はＣＢＧ(ＣＧ  ｇｒｏｕｐ)単位で(再伝送)スケジューリングを行い、ＣＢ／ＣＢＧ単位でＨＡＲＱ−ＡＣＫフィードバックを構成／伝送する方法を提案する。詳しくは、本発明ではＣＢＧを構成する方法、ＨＡＲＱ−ＡＣＫ(以下、Ａ／Ｎ)フィードバックを構成する方法、端末の受信ソフトバッファを運営する方法、及び特定のミスマッチ状況に対するハンドリング方法などを提示する。
【０１４２】
便宜上、本発明の提案方法は様々な実施例に区分されているが、これは説明の便宜のためのものであり、これらを互いに組み合わせて使用することができる。
【０１４３】
まず、本発明で使用する略語／用語について説明する。
【０１４４】
−ＴＢＳ：  ＴＢサイズ、ＴＢを構成する全体ビットの数
【０１４５】
−ＣＢ：  コードブロック
【０１４６】
−ＣＢサイズ：  ＣＢを構成する全体ビットの数
【０１４７】
−ＣＢＧ：  コードブロックグループ。(単一のＴＢを構成する)全てのＣＢが１つのＣＢＧで設定されるか、一部の複数のＣＢが１つのＣＢＧとして構成されるか、或いは１つのＣＢの各々が１つのＣＢＧとして構成される。
【０１４８】
−Ａ／Ｎ：  ＨＡＲＱ−ＡＣＫの応答。即ち、ＡＣＫ、ＮＡＣＫ、ＤＴＸを意味する。ＤＴＸはＰＤＣＣＨを逃した場合を示す。Ａ／ＮビットはＡＣＫの場合に１に設定され、ＮＡＣＫの場合には０に設定される。ＨＡＲＱ−ＡＣＫ、ＡＣＫ／ＮＡＣＫと等価に使用できる。
【０１４９】
−ＣＢＧ−基盤のＡ／Ｎ：  ＣＢＧにはＣＲＣが付加されないので、ＣＢＧ内のＣＢに対するエラーチェック結果に基づいてＣＢＧに対するＡ／Ｎを生成できる。例えば、ＣＢＧ内のＣＢが全部成功的に検出される場合、端末はＣＢＧに対するＡ／Ｎ応答(或いは、Ａ／Ｎビット)をＡＣＫと設定し、ＣＢＧ内のＣＢのうち１つでも成功的に検出されなかった場合には、端末はＣＢＧに対するＡ／Ｎ応答(或いはＡ／Ｎビット)をＮＡＣＫと設定する(ｌｏｇｉｃａｌ  ＡＮＤ)。ＴＢの(複数の)ＣＢＧに対するＡ／Ｎペイロードは複数のＡ／Ｎ(応答)ビットを含み、各々のＡ／Ｎ(応答)ビットはＴＢのＣＢＧに対して１：１に対応する。
【０１５０】
−ＣＢＧ−基盤の再伝送：  ＣＢＧ−基盤のＡ／Ｎに対応してＴＢ再伝送をＣＢＧ単位で行うことができる。例えば、基地局は端末にＴＢを再伝送する場合に端末からＮＡＣＫを受信したＣＢＧに対してのみ再伝送を行うことができる。この時、ＴＢの以前の伝送と同一のＨＡＲＱプロセスに対応するＴＢの再伝送時に、ＣＢＧ内の(複数の)ＣＢはＴＢの初期伝送時と同様に維持される。
【０１５１】
−ＣＢＧサイズ：  ＣＢＧを構成するＣＢの数
【０１５２】
−ＣＢＧインデックス：  ＣＢＧを区別するインデックス。文脈によりＣＢＧインデックスは該当インデックスを有するＣＢＧと等価に使用できる。
【０１５３】
−シンボル：  特に区別しない限り、ＯＦＤＭＡシンボル又はＳＣ−ＦＤＭＡシンボルを意味する。
【０１５４】
−ｆｌｏｏｒ（Ｘ）：  切り捨ての関数。Ｘ以下の最大の定数を意味する。
【０１５５】
−ｃｅｉｌｉｎｇ（Ｘ）：  切り上げ関数。Ｘ以上の最小の定数を意味する。
【０１５６】
−ｍｏｄ(Ａ，Ｂ)：  ＡをＢで割った余りを意味する。
【０１５７】
(Ｘ)ＣＢを構成する方法
【０１５８】
１）方法Ｘ−１：  １つのＣＢを構成するビットの数Ｃｎが与えられ、これに基づいてＣｍ個のＣＢを構成
【０１５９】
１つのＣＢを構成するビットの数Ｃｎが、ＴＢＳに関係なく同一の１つの値又はＴＢＳごとに異なる(例えば、ＴＢＳに比例する)値に予め定義されるか、或いは準−静的シグナリング(例えば、ＲＲＣシグナリング)又は動的シグナリング(例えば、ＤＣＩ)を通じて端末に指示される。これにより、ＴＢを構成する全体ビットの数がＣｋである時、Ｃｍ＝ｆｌｏｏｒ(Ｃｋ／Ｃｎ)又はＣｍ＝ｃｅｉｌｉｎｇ(Ｃｋ／Ｃｎ)個のＣＢが構成される。前者の場合、１つのＣＢのみ(Ｃｎ＋ｍｏｄ(Ｃｋ，Ｃｎ))個のビットで構成され、その他の(Ｃｍ−１)個のＣＢは各々Ｃｎ個のビットで構成される。後者の場合、１つのＣＢのみｍｏｄ(Ｃｋ，Ｃｎ)個のビットで構成され、その他の(Ｃｍ−１)個のＣＢは各々Ｃｎ個のビットで構成される。前者の場合、Ｃｎは１つのＣＢを構成する最小のビットの数を、後者の場合、Ｃｎは１つのＣＢを構成する最大のビットの数を各々意味する。
【０１６０】
他の方法として、ＣＢ当たりのビットの数を全体ＣＢに均等に割り当てる(ｎｅａｒ−ｅｑｕａｌ)方式を適用できる。例えば、上記の場合には、Ｃｍ＝ｆｌｏｏｒ(Ｃｋ／Ｃｎ)個のＣＢが構成される場合、ｍｏｄ(Ｃｋ，Ｃｎ)個のＣＢは(Ｃｎ＋１)個のビットで構成され、その他のＣＢはＣｎ個のビットで構成される。また、Ｃｍ＝ｃｅｉｌｉｎｇ(Ｃｋ／Ｃｎ)個のＣＢが構成される場合には、(Ｃｎ−ｍｏｄ(Ｃｋ，Ｃｎ))個のＣＢは(Ｃｎ−１)個のビットで構成され、その他のＣＢはＣｎ個のビットで構成される。前者の場合、Ｃｎは１つのＣＢを構成する最小のビットの数を、後者の場合、Ｃｎは１つのＣＢを構成する最大のビットの数を各々意味する。
【０１６１】
なお、上記方法を適用すると、全体Ｃｍ個のＣＢのうち、１つ以上の特定のＣＢ(以下、ｓｍａｌｌ  ＣＢ)がその他のＣＢ(以下、ｒｅｇｕｌａｒ  ＣＢ)に比べて少ない数のビットで構成されることができる。従って、不均等なサイズを有するＣｍ個のＣＢをＭ個の複数のＣＢＧにグルーピングする方式が必要である。具体的には、全体ＣＢの数ＣｍがＣＢＧの数Ｍの倍数になる場合とそうではない場合に区分でき、各々に対して次のＣＢグルーピング方式が考えられる。以下、ＣＢＧサイズはＣＢＧ当たりのＣＢの数を意味する。なお、ＣｍがＭの倍数ではない場合、ＣＢＧごとにサイズが異なり、ＣＢＧ間のサイズ差は最大１つのＣＢに制限される。
【０１６２】
Ａ．ＣｍがＭの倍数である場合(全てのＣＢＧが同じサイズを有する)
【０１６３】
−Ｏｐｔ  １−１：  ｓｍａｌｌ  ＣＢができる限り全てのＣＢＧに分散されるように構成
【０１６４】
−Ｏｐｔ  １−２：  ｓｍａｌｌ  ＣＢができる限り少ない数の一部のＣＢＧのみに属するように構成
【０１６５】
Ｂ．ＣｍがＭの倍数ではない場合(ＣＢＧごとにサイズが異なる)
【０１６６】
−Ｏｐｔ  ２−１：  ｓｍａｌｌ  ＣＢができる限り大きいサイズのＣＢＧに属するように構成
【０１６７】
−Ｏｐｔ  ２−２：  ｓｍａｌｌ  ＣＢができる限り小さいサイズのＣＢＧに属するように構成
【０１６８】
−Ｏｐｔ  ２−３：  Ｏｐｔ  １−１或いはＯｐｔ  １−２を適用
【０１６９】
一例として、Ｃｍ＝７であり、ＣＢインデックス１／２／３／４／５／６／７が各々５／５／５／５／５／５／２ビットで構成された状況で、Ｍ＝３個のＣＢＧ構成を考えられる。ここで、Ｏｐｔ  ２−１を適用すると、ＣＢインデックス{１，２}、{３，４}、{５，６，７}は各々ＣＢＧインデックス１／２／３で構成されることができ、Ｏｐｔ  ２−２を適用すると、ＣＢインデックス{１，２，３}、{４，５}、{６，７}は各々ＣＢＧインデックス１／２／３で構成されることができる。他の例として、Ｃｍ＝７であり、ＣＢインデックス１／２／３／４／５／６／７が各々５／５／５／５／４／４／４ビットで構成された状況で、Ｍ＝３個のＣＢＧ構成を考えられる。ここで、Ｏｐｔ  ２−１を適用すると、ＣＢインデックス{１，２}、{３，４}、{５，６，７}が、Ｏｐｔ  ２−２を適用すると、ＣＢインデックス{１，２，３}、{４，５}、{６，７}が各々、ＣＢＧインデックス１／２／３で構成されることができる。反面、Ｏｐｔ  １−１を適用すると、ＣＢインデックス{１，２，５}、{３，６}、{４，７}が、Ｏｐｔ  １−２を適用すると、ＣＢインデックス{１，２}、{３，４}、{５，６，７}が各々、ＣＢＧインデックス１／２／３で構成されることができる。
【０１７０】
さらに、デコード信頼度が低い可能性がある部分に対応するＣＢＧにはＣＢの数をできる限り少なくすることにより、再伝送の確率が高いＣＢＧのサイズを最大限に小さくすることができる。例えば、デコード信頼度が低い可能性がある場合は、無線信号のＣＢサイズが相対的に小さいか、無線信号がＤＭＲＳから時間上遠く離れているか、無線信号がＣＳＩフィードバック時点から遠く離れているか、或いは無線信号がＳＲＳ(又はＰＵＣＣＨ或いはＰＲＡＣＨ)と隣接した(ＯＦＤＭＡ／ＳＣ−ＦＤＭＡ)シンボルにマッピングされる場合であることができる。このために、ＣＢＧを以下のように構成できる。
【０１７１】
ａ）低いＣＢインデックスからＸビットの単位でｒｅｇｕｌａｒ  ＣＢを構成し、特定のＣＢインデックスからはＹビットの単位でｓｍａｌｌ  ＣＢを構成(Ｙ＜Ｘ)。
【０１７２】
ｂ）（低いＣＢインデックスのＣＢから順に）低いＣＢインデックスからＭ個のＣＢ単位でまとめてｒｅｇｕｌａｒ  ＣＢＧを構成し、特定のＣＢＧインデックスからはＫ個のＣＢ単位でまとめてｓｍａｌｌ  ＣＢＧを構成(Ｋ＜Ｍ)。ここで、ＣＢＧ間のサイズ差は上述したように、最大１つのＣＢに制限される(例えば、Ｍ＝Ｋ＋１)。ａ）及びｂ）により、低いインデックスのＣＢＧに比べて、高いインデックスのＣＢＧは相対的に小さいＣＢＧサイズを有し、ＣＢＧサイズは同一であってもより多いｓｍａｌｌ  ＣＢを有することができる。
【０１７３】
ｃ）低いＣＢＧインデックスのＣＢＧから順に周波数−優先(ｆｒｅｑｕｅｎｃｙ−ｆｉｒｓｔ)(又は時間−優先(ｔｉｍｅ−ｆｉｒｓｔ))方式で信号をマッピングする。ここで、高いインデックスのＣＢＧに比べて、低いインデックスのＣＢＧは相対的にデコード信頼度の高いリソースにマッピングされることができる。
【０１７４】
なお、Ｃｎ＞Ｃｋの場合は、ＴＢの全てのビットが単一のＣＢで構成される形態であって、Ｃｋ個のビットを含む１つのＣＢが構成されることができる。
【０１７５】
２）方法Ｘ−２：  全体ＣＢの数Ｃｍが与えられ、これに基づいてＣｎ個のビット単位で各々のＣＢを構成
【０１７６】
全体ＣＢの数Ｃｍが、ＴＢＳに関係なく同一の１つの値又はＴＢＳごとに異なる(例えば、ＴＢＳに比例する)値に予め定義されるか、或いは準−静的シグナリング(例えば、ＲＲＣシグナリング)又は動的シグナリング(例えば、ＤＣＩ)を通じて端末に指示される。一例として、ＴＢを構成する全体ビットの数がＣｋである時、Ｃｎ＝ｆｌｏｏｒ(Ｃｋ／Ｃｍ)又はＣｎ＝ｃｅｉｌｉｎｇ(Ｃｋ／Ｃｍ)個のビット単位で各々のＣＢが構成される。前者の場合、１つのＣＢのみが(Ｃｎ＋ｍｏｄ(Ｃｋ，Ｃｎ))個のビットで構成され、その他の(Ｃｍ−１)個のＣＢは各々Ｃｎ個のビットで構成される。後者の場合、１つのＣＢのみがｍｏｄ(Ｃｋ，Ｃｎ)個のビットで構成され、その他の(Ｃｍ−１)個のＣＢは各々Ｃｎ個のビットで構成される。前者の場合、Ｃｎは１つのＣＢを構成する最小のビットの数を、後者の場合、Ｃｎは１つのＣＢを構成する最大のビットの数を各々意味する。
【０１７７】
他の方法として、ＣＢ当たりのビットの数を全体ＣＢに均等に割り当てる方式を適用できる。例えば、上記の場合には、Ｃｎ＝ｆｌｏｏｒ(Ｃｋ／Ｃｍ)個のビット単位でＣＢが構成される場合、ｍｏｄ(Ｃｋ，Ｃｍ)個のＣＢは(Ｃｎ＋１)個(又はｃｅｉｌｉｎｇ(Ｃｋ／Ｃｍ)個)のビットで構成され、その他の(Ｃｍ−ｍｏｄ(Ｃｋ，Ｃｍ))個のＣＢはＣｎ個のビットで構成される。Ｃｎ＝ｃｅｉｌｉｎｇ(Ｃｋ／Ｃｍ)個のビット単位でＣＢが構成される場合、(Ｃｎ−ｍｏｄ(Ｃｋ，Ｃｍ))個のＣＢは(Ｃｎ−１)個(又はｆｌｏｏｒ(Ｃｋ／Ｃｍ)個)のビットで構成され、その他のｍｏｄ(Ｃｋ，Ｃｍ)個のＣＢはＣｎ個のビットで構成される。前者の場合、Ｃｎは１つのＣＢを構成する最小のビットの数を、後者の場合、Ｃｎは１つのＣＢを構成する最大のビットの数を各々意味する。
【０１７８】
３）方法Ｘ−３：  １つのＣＢを構成する最小のビットの数Ｔｍが与えられ、これに基づいてＣＢを構成
【０１７９】
１つのＴＢを構成する全てのＣＢが少なくともＴｍ個以上のビットで構成されるように設定できる。一例として、ＴＢＳをＣｋと仮定した時、Ｃｋ／Ｃｍ≧Ｔｍの関係式を満たす最大のＣｍ値であるＣｍ.ｍａｘを算出し、該当ＴＢをＣｍ.ｍａｘ個のＣＢに分割する動作が考えられる。
【０１８０】
４）方法Ｘ−４：  ＣＢの個数が特定水準以上である場合、ＣＢ単位のスケジューリング及び複数のＣＢの間のグルーピングを行う
【０１８１】
１つのＴＢを構成する全てのＣＢの数ＫがＴｓ個以上である場合にのみ、該当ＴＢに対してＣＢ又はＣＢＧ単位の(再伝送)スケジューリングが適用されるように設定／定義できる。また全体のＣＢの数ＫがＴｇ個以上である場合には、複数のＣＢがグルーピングされて１つのＣＢＧを構成するように設定／定義することができる(例えば、Ｔｓ＜Ｔｇ)。ここで、１つのＣＢを構成するビットの数Ｃｎは予め定義されるか或いは特定のシグナリング(例えば、ＲＲＣシグナリング、ＤＣＩ)を通じて与えられる。
【０１８２】
(Ａ)  ＣＢＧを構成する方法
【０１８３】
１）方法Ａ−１：  １つのＣＢＧを構成するＣＢの数Ｎが与えられ、これに基づいてＭ個のＣＢＧを構成
【０１８４】
１つのＣＢＧを構成するＣＢの数Ｎが、ＴＢＳに関係なく同一の１つの値又はＴＢＳごとに異なる(例えば、ＴＢＳに比例する)値に予め定義されるか、或いは準−静的シグナリング(例えば、ＲＲＣシグナリング)又は動的シグナリング(例えば、ＤＣＩ)を通じて端末に指示される。一例として、ＴＢを構成する全体ＣＢの数がＫである場合、Ｍ＝ｆｌｏｏｒ(Ｋ／Ｎ)或いはＭ＝ｃｅｉｌｉｎｇ(Ｋ／Ｎ)個のＣＢＧが構成される。前者の場合、１つのＣＢＧのみが(Ｎ＋ｍｏｄ(Ｋ，Ｎ))個のＣＢで構成され、その他の(Ｍ−１)個のＣＢＧは各々Ｎ個のＣＢで構成される。後者の場合、１つのＣＢＧのみがｍｏｄ(Ｋ，Ｎ)個のＣＢで構成され、その他の(Ｍ−１)個のＣＢＧは各々Ｎ個のＣＢで構成される。前者の場合、Ｎは１つのＣＢＧを構成する最小のＣＢ数を、後者の場合、Ｎは１つのＣＢＧを構成する最大のＣＢ数を各々意味する。なお、端末は各々のＣＢＧごとにＡ／Ｎビットを構成して伝送できる。
【０１８５】
他の方法として、ＣＢＧ当たりのＣＢ数を全体ＣＢＧに均等に割り当てる方式を適用できる。例えば、上記の場合には、Ｍ＝ｆｌｏｏｒ(Ｋ／Ｎ)個のＣＢＧが構成される場合、ｍｏｄ(Ｋ，Ｎ)個のＣＢＧは(Ｎ＋１)個のＣＢで構成され、その他のＣＢＧはＮ個のＣＢで構成される。またＭ＝ｃｅｉｌｉｎｇ(Ｋ／Ｎ)個のＣＢＧが構成される場合、(Ｎ−ｍｏｄ(Ｋ，Ｎ))個のＣＢＧは(Ｎ−１)個のＣＢで構成され、その他のＣＢＧはＮ個のＣＢで構成される。前者の場合、Ｎは１つのＣＢＧを構成する最小のＣＢ数を、後者の場合、Ｎは１つのＣＢＧを構成する最大のＣＢ数を各々意味する。
【０１８６】
なお、Ｎ＞Ｋの場合はＴＢを構成する全てのＣＢが単一のＣＢＧに属する形態であり、Ｋ個のＣＢを含む１つのＣＢＧが構成できる。
【０１８７】
２）方法Ａ−２：  全体ＣＢＧの数Ｍが与えられ、これに基づいてＮ個のＣＢ単位で各々のＣＢＧを構成
【０１８８】
全体ＣＢＧの数Ｍが、ＴＢＳに関係なく同一の１つの値又はＴＢＳごとに異なる(例えば、ＴＢＳに比例する)値に予め定義されるか、或いは準−静的シグナリング(例えば、ＲＲＣシグナリング)又は動的シグナリング(例えば、ＤＣＩ)を通じて端末に指示される。端末は全体ＣＢＧの数Ｍに基づいてＴＢの複数のＣＢからＣＢＧを識別／構成することができる。一例として、ＴＢを構成する全体ＣＢの数がＫである場合、Ｎ＝ｆｌｏｏｒ(Ｋ／Ｍ)個又はＮ＝ｃｅｉｌｉｎｇ(Ｋ／Ｍ)個のＣＢ単位で各々のＣＢＧが構成される。前者の場合、１つのＣＢＧのみが(Ｎ＋ｍｏｄ(Ｋ，Ｎ))個のＣＢで構成され、その他の(Ｍ−１)個のＣＢＧは各々Ｎ個のＣＢで構成される。後者の場合、１つのＣＢＧのみがｍｏｄ(Ｋ，Ｎ)個のＣＢで構成され、その他の(Ｍ−１)個のＣＢＧは各々Ｎ個のＣＢで構成される。前者の場合、Ｎは１つのＣＢＧを構成する最小のＣＢ数を、後者の場合、Ｎは１つのＣＢＧを構成する最大のＣＢ数を各々意味する。なお、端末は各々のＣＢＧごとにＡ／Ｎビットを構成して伝送できる。一例として、端末はＴＢに対してＭ個のＡ／Ｎビットを構成し、各々のＡ／Ｎビットは該当ＣＢＧに対するＡ／Ｎ結果を示すことができる。
【０１８９】
他の方法として、ＣＢＧ当たりのＣＢ数を全体ＣＢＧに均等に割り当てる方式を適用できる。例えば、上記の場合には、Ｎ＝ｆｌｏｏｒ(Ｋ／Ｍ))個のＣＢ単位のＣＢＧ構成である場合、ｍｏｄ(Ｋ，Ｍ)個のＣＢＧは(Ｎ＋１)個(又はｃｅｉｌｉｎｇ(Ｋ／Ｍ))個)のＣＢで構成され、その他の(Ｍ−ｍｏｄ(Ｋ，Ｍ))個のＣＢＧはＮ個(又はｆｌｏｏｒ(Ｋ／Ｍ)個)のＣＢで構成される。またＮ＝ｃｅｉｌｉｎｇ(Ｋ／Ｍ)個のＣＢ単位のＣＢＧ構成である場合は、(Ｍ−ｍｏｄ(Ｋ，Ｍ))個のＣＢＧは(Ｎ−１)個(又はｆｌｏｏｒ(Ｋ／Ｍ)個)のＣＢで構成され、その他のｍｏｄ(Ｋ，Ｍ)個のＣＢＧはＮ個(又はｃｅｉｌｉｎｇ(Ｋ／Ｍ)個)のＣＢで構成される。前者の場合、Ｎは１つのＣＢＧを構成する最小のＣＢ数を、後者の場合、Ｎは１つのＣＢＧを構成する最大のＣＢ数を各々意味する。
【０１９０】
なお、Ｍ＞Ｋの場合、ＣＢの各々が１つのＣＢＧとなって総Ｋ個のＣＢＧが構成されることができる。この場合、１）全体のＡ／ＮフィードバックをＭ個のビットで構成した状態で、実際にＣＢＧに対応しない(Ｍ−Ｋ)個のビットはＮＡＣＫ又はＤＴＸと処理するか、或いは２）Ａ／Ｎフィードバック自体を実際のＣＢＧに対応するＫ個のビットのみで構成する方式が考えられる。
【０１９１】
図１６は本発明による信号伝送過程を例示する図である。
【０１９２】
図１６を参照すると、端末は上位階層信号(例えば、ＲＲＣ信号)を通じて伝送ブロック当たりのコードブロックグループの数Ｍに関する情報を基地局から受信することができる(Ｓ１６０２)。その後、端末はデータ初期伝送を(ＰＤＳＣＨを通じて)基地局から受信することができる(Ｓ１６０４)。ここで、データは伝送ブロックを含み、伝送ブロックは複数のコードブロックを含み、複数のコードブロックは１つ以上のコードブロックグループに区分される。ここで、コードブロックグループのうち一部はｃｅｉｌｉｎｇ(Ｋ／Ｍ)個のコードブロックを含み、その他のコードブロックはｆｌｏｏｒｉｎｇ(Ｋ／Ｍ)個のコードブロックを含む。Ｋはデータ内のコードブロックの数を示す。その後、端末はデータに対してコードブロックグループ基盤のＡ／Ｎ情報を基地局にフィードバックすることができ(Ｓ１６０６)、基地局はコードブロックグループに基づいてデータ再伝送を行うことができる(Ｓ１６０８)。Ａ／Ｎ情報はＰＵＣＣＨ又はＰＵＳＣＨを通じて伝送される。ここで、Ａ／Ｎ情報はデータに対して複数のＡ／Ｎビットを含み、各々のＡ／Ｎビットはデータに対してコードブロックグループ単位で生成された各々のＡ／Ｎ応答を示すことができる。Ａ／Ｎ情報のペイロードのサイズはデータを構成するコードブロックグループの数に関係なくＭに基づいて同様に維持される。
【０１９３】
３）方法Ａ−３：  ＣＢＧの数ＭとＣＢＧのサイズＮに対するツリー(又は入れ子(ｎｅｓｔｅｄ))構造に基づくＣＢＧを構成
【０１９４】
全体ＣＢＧの数Ｍ(例えば、Ｍ１，Ｍ２，…)とＣＢＧのサイズＮ(例えば、Ｎ１，Ｎ２，…)についてツリー構造を有するようにＣＢＧが構成される。この場合、１つのＴＢ(サイズ)に対して複数の互いに異なる(Ｍ，Ｎ)組み合わせに基づく複数の互いに異なるＣＢＧ構成が設定できる。互いに異なる(Ｍ，Ｎ)組み合わせに対して、(Ｍ１，Ｎ１)の場合と(Ｍ２，Ｎ２)の場合のＣＢＧ構成を考慮すると、Ｍ１＜Ｍ２の場合、Ｎ１＞Ｎ２に設定できる。また(Ｍ１，Ｎ１)の場合の１つのＣＢＧは、(Ｍ２，Ｎ２)の場合の１つ以上のＣＢＧを含むように構成できる。逆に、(Ｍ２，Ｎ２)の場合の１つのＣＢＧは、(Ｍ１，Ｎ１)の場合の特定の１つのＣＢＧのみに属するように構成できる。またＭ２はＭ１の倍数に設定されるか／設定され、Ｎ１はＮ２の倍数に設定される。Ｍは２ｍ(ｍ＝０，１，…)に設定できる。なお、Ｍ，Ｎ又は(Ｍ，Ｎ)組み合わせに対するインデックス、又は全ての(Ｍ，Ｎ)組み合わせを基準として可能なＣＢＧインデックスのうち１つ(或いは複数)は、準−静的シグナリング(例えば、ＲＲＣシグナリング)又は動的シグナリング(例えば、ＤＣＩ)を通じて端末に指示される。端末は該当インデックスに対応して構成された各々のＣＢＧごとにＡ／Ｎビットを構成して伝送できる。Ｍ及びＮは、ＴＢＳに関係なく同一の１つの値に予め定義されるか、或いはＴＢＳごとに異なる(例えば、ＴＢＳに比例する)値に予め定義される。
【０１９５】
一例として、ＴＢを構成する全体ＣＢの数をＫ＝１６と仮定し、各々のＣＢをｋ＝０，１，…，１５にインデクシングした状態で、ＣＢＧの数をＭ＝{１，２，４，８，１６}に設定し、各々に対応するＣＢＧのサイズをＮ＝Ｋ／Ｍ＝{１６，８，４，２，１}に設定する方式が考えられる(ｎｅｓｔｅｄ  ＣＢＧ  ｅｘａｍｐｌｅ  １)。
【０１９６】
ａ）(Ｍ，Ｎ)＝（１，１６）の場合、１つのＣＢＧのみが構成され、該当ＣＢＧが１６つの全てのＣＢを含む。
【０１９７】
ｂ）(Ｍ，Ｎ)＝（２，８）の場合、２つのＣＢＧが構成され、ＣＢＧごとに互いに異なる８つのＣＢを含む。この場合、１つのＣＢＧは(Ｍ，Ｎ)＝(４，４)の場合の２つのＣＢＧを含む。
【０１９８】
ｃ）(Ｍ，Ｎ)＝（４，４）の場合、４つのＣＢＧが構成され、ＣＢＧごとに互いに異なる４つのＣＢを含む。この場合、１つのＣＢＧは(Ｍ，Ｎ)＝(８，２)の場合の２つのＣＢＧを含む。
【０１９９】
ｄ）(Ｍ，Ｎ)＝（８，２）の場合、８つのＣＢＧが構成され、ＣＢＧごとに互いに異なる２つのＣＢを含む。
【０２００】
ｅ）(Ｍ，Ｎ)＝（１６，１）の場合、１６つのＣＢＧが構成され、ＣＢＧごとに互いに異なる１つのＣＢのみを含む。
【０２０１】
上記のように、互いに異なる複数の(Ｍ，Ｎ)の組み合わせ及びそれによるＣＢＧの数／サイズが予め構成／指定された状態で、特定のＭ，Ｎ又は(Ｍ，Ｎ)組み合わせのインデックス、又は全ての(Ｍ，Ｎ)組み合わせを基準として可能なＣＢＧのうちの１つ(或いは複数)が端末に指示されることができる。上記の例では、可能なＭ、Ｎ又は(Ｍ，Ｎ)組み合わせが総５種類であり、全ての(Ｍ，Ｎ)組み合わせについて可能なＣＢＧのインデックスは(可能なＭ値{１，２，４，８，１６}の総合に該当する)総３１種類に設定された場合に該当する。端末はスケジューリングされたＤＬデータ(例えば、ＴＢ又はＣＢＧ)に対して、Ｍ及び／又はＮインデックスに対応するＣＢＧ構成を仮定した状態で、デコード及び対応するＡ／Ｎフィードバックの構成／伝送を行うことができる。
【０２０２】
この方法を一般化して、互いに異なる(Ｍ，Ｎ)の組み合わせである(Ｍ１，Ｎ１)と(Ｍ２，Ｎ２)の場合のＣＢＧ構成について、Ｍ１＜Ｍ２の場合、Ｎ１≧Ｎ２に設定される条件のみで、１つのＴＢ(サイズ)に対して複数のＣＢＧ構成を設定できる。一例として、ＴＢを構成する全体ＣＢの数をＫ＝６と仮定し、各々のＣＢをｋ＝０，１，２，…，５にインデクシングした状態で、ＣＢＧの数をＭ＝{１，２，３，６}に設定し、各々に対応するＣＢＧのサイズをＮ＝Ｋ／Ｍ＝{６，３，２，１}に設定する方式が考えられる(ｎｅｓｔｅｄ  ＣＢＧ  ｅｘａｍｐｌｅ  ２)。
【０２０３】
ａ）(Ｍ，Ｎ)＝（１，６）の場合、１つのＣＢＧのみが構成され、該当ＣＢＧが６つの全てのＣＢを含む
【０２０４】
ｂ）(Ｍ，Ｎ)＝（２，３）の場合、２つのＣＢＧが構成され、ＣＢＧごとに互いに異なる３つのＣＢを含む。例えば、ＣＢインデックス集合{０，１，２}と{３，４，５}が各々１つのＣＢＧを構成。
【０２０５】
ｃ）(Ｍ，Ｎ)＝（３，２）の場合、３つのＣＢＧが構成され、ＣＢＧごとに互いに異なる２つのＣＢを含む。例えば、ＣＢインデックス集合{０，１}と{２，３}と{４，５}が各々１つのＣＢＧを構成。
【０２０６】
ｄ）(Ｍ，Ｎ)＝（６，１）の場合、６つのＣＢＧが構成され、ＣＢＧごとに互いに異なる１つのＣＢのみを含む。
【０２０７】
他の例として、ＴＢを構成する全体ＣＢの数をＫ＝９と仮定し、各々のＣＢをｋ＝０，１，…，８にインデクシングした状態で、ＣＢＧの数をＭ＝{１，２，３，６}に設定し、各々に対応するＣＢＧのサイズをＮ＝{９，(５又は４)，３，(２又は１)}に設定する方式が考えられる(ｎｅｓｔｅｄ  ＣＢＧ  ｅｘａｍｐｌｅ  ３)。
【０２０８】
ａ）(Ｍ，Ｎ)＝（１，９）の場合、１つのＣＢＧのみが構成され、該当ＣＢＧが９つの全てのＣＢを含む。
【０２０９】
ｂ）(Ｍ，Ｎ)＝（２，５又は４）の場合、総２つのＣＢＧが構成され、１つのＣＢＧは５つ、他の１つのＣＢＧは４つのＣＢを各々含む。例えば、ＣＢインデックス集合{０，１，２，３，４}と{５，６，７，８}が各々１つのＣＢＧを構成。
【０２１０】
ｃ）(Ｍ，Ｎ)＝（３，３）の場合、３つのＣＢＧが構成され、ＣＢＧごとに互いに異なる３つのＣＢを含む。例えば、ＣＢインデックス集合{０，１，２}と{３，４，５}と{６，７，８}が各々１つのＣＢＧを構成。
【０２１１】
ｄ）(Ｍ，Ｎ)＝（６，２又は１）の場合、総６つのＣＢＧが構成され、これらのうち３つのＣＢＧは２つのＣＢを、他の３つのＣＢＧは１つのＣＢを各々含む。例えば、ＣＢインデックス集合{０，１}、{２，３}、{４，５}、{６}、{７}、{８}が各々１つのＣＢＧを構成。
【０２１２】
ｎｅｓｔｅｄ  ＣＢＧのｅｘａｍｐｌｅ  ２、３の場合、(４つの互いに異なる(Ｍ，Ｎ)組み合わせに基づいて)構成された全体１２(＝１＋２＋３＋６)個のＣＢＧをインデックスすることができる。これに基づいて、基地局は(ＤＣＩを通じて)再伝送スケジューリングされるＣＢＧを指示するか／指示し、端末は指示されたＣＢＧに対するＡ／Ｎフィードバックを構成して伝送することができる。
【０２１３】
なお、スケジューリング対象ＣＢＧの指示のためのＤＣＩオーバーヘッド及び／又は対応するＡ／Ｎフィードバックの構成のためのＵＣＩオーバーヘッドを考慮して、入れ子(ｎｅｓｔｅｄ)形態で構成される全体ＣＢＧインデックスの数ＬがＴＢＳごとに同一に設定されるか、或いはＴＢＳごとにＣＢＧ指示のためのビットオーバーヘッドが同一になるように(例えば、ｃｅｉｌｉｎｇ(ｌｏｇ２(Ｌ))値が同一であるように)ＴＢＳごとにＬ値が設定されることができる。
【０２１４】
４）方法Ａ−４：  特定の数のシンボル集合(及び特定の数のＲＢ集合)に属した複数のＣＢを１つのＣＢＧで構成
【０２１５】
ＴＢが伝送される時間区間(及び／又は周波数領域)を複数のシンボル集合(以下、Ｓｙｍｂｏｌ  Ｇｒｏｕｐ，ＳＧ)(及び／又は複数のＲＢ集合(以下、ＲＢ  Ｇｒｏｕｐ、ＲＢＧ))に分割した状態で、各々のＳＧ(及び／又は各々のＲＢＧ)を通じて伝送される複数のＣＢが１つのＣＢＧとして構成されることができる。この場合、各々のＳＧ内のシンボルの数或いは単一のＳＧを構成するシンボルの数(及び／又は各々のＲＢＧ内のＲＢの数或いは単一のＲＢＧを構成するＲＢの数)に関する情報が、準−静的シグナリング(例えば、ＲＲＣシグナリング)又は動的シグナリング(例えば、ＤＣＩ)を通じて端末に指示される。ＤＬデータの受信時、端末は各々のＣＢＧごとにＡ／Ｎビットを構成して伝送できる。
【０２１６】
また１つのＳＧを構成するシンボルの数或いはＴＢ伝送の時間区間内に構成された全体ＳＧの数(及び／又は１つのＲＥＧを構成するＲＢの数或いはＴＢ伝送周波数領域内に構成された全体ＲＢＧの数)について、方法Ａ−３のようなツリー構造を有するようにＣＢＧを構成する方式も可能である。ｎｅｓｔｅｄ  ＣＢＧ  ｅｘａｍｐｌｅ  １、２、３に基づいて、例えば、ＴＢを構成する全体シンボル(或いはＲＢ)の数をＫ＝１６，６又は９に仮定し、各々のシンボル(或いはＲＢ)をｋ＝０〜１５、ｋ＝０〜５又はｋ＝０〜８にインデックスすることができる。この状態で、ｎｅｓｔｅｄ  ＣＢＧ  ｅｘａｍｐｌｅ  １、２、３と類似する形態で互いに入れ子(ｎｅｓｔｅｄ)構造関係を有する複数のＳＧ(或いはＲＢＧ)を構成することができる。また、ＳＧ(及び／又はＲＢＧ)のサイズ／数は、ＴＢＳに関係なく同一の１つの値に予め定義されるか、或いはＴＢごとに異なる(例えば、ＴＢＳに比例する)値に予め定義される。
【０２１７】
なお、１つのＣＢが複数のＳＧ(及び／又はＲＢＧ)にかけてマッピング／伝送される場合、該当ＣＢは、Ｏｐｔ  １)最低或いは最高のシンボルインデックスを有するＳＧ(及び／又は最低或いは最高のＲＢインデックスを有するＲＢＧ)に対応するＣＢＧに含まれるもの、或いはＯｐｔ  ２)該当ＣＢの符号化されたビットを最も多く含むＳＧ(及び／又はＲＢＧ)に対応するＣＢＧに含まれるものと定義されることができる。
【０２１８】
他の方法として、１つのＣＢが複数のＳＧ(及び／又はＲＢＧ)にかけてマッピング／伝送される場合、基地局における(再伝送)スケジューリングのためのＣＢＧの構成／指示の観点で、該当ＣＢは該当複数のＳＧ(／ＲＢＧ)に対応する複数の全てのＣＢＧに含まれるものと設定されることができる。反面、端末におけるＣＢＧごとのＡ／Ｎフィードバック構成の観点では、該当ＣＢを該当複数のＳＧ(／ＲＢＧ)のうち、特定の１つに対応するＣＢＧにのみ含ませた状態で、各々のＣＢＧごとにＡ／Ｎビットを構成して伝送するように動作できる。この場合、端末は(Ａ／Ｎフィードバックの構成時)該当ＣＢが含まれる特定の１つのＣＢＧを以下のように選択できる。
【０２１９】
１）該当ＣＢのデコード結果がＮＡＣＫである場合、(スケジューリングの観点で、該当ＣＢを含む全ての複数のＣＢＧのうち)該当ＣＢを除いてもＮＡＣＫであるＣＢが含まれているＣＢＧが存在すると、そのうち(Ｏｐｔ  １／２適用に基づく)１つが選択され、かかるＣＢＧが存在しないと、(スケジューリングの観点で、該当ＣＢを含む)全ての複数のＣＢＧのうち(Ｏｐｔ  １／２適用に基づく)１つが選択される。
【０２２０】
２）該当ＣＢのデコード結果がＡＣＫである場合にも、(スケジューリングの観点で、該当ＣＢを含む)全ての複数のＣＢＧのうち(Ｏｐｔ  １／２適用に基づく)１つが選択される。
【０２２１】
なお、同一の１つのＣＢを含む複数のＣＢＧが同時にスケジューリングされる場合、該当ＣＢは１回だけ伝送されるように動作できる。例えば、該当ＣＢは該当複数のＣＢＧのうち(Ｏｐｔ  １／２適用に基づく)特定の１つのみに含まれた形態で伝送される。
【０２２２】
この方式を一般化して、基地局のスケジューリングのためのＣＢＧ構成／指示の観点で、１つのＣＢが複数のＣＢＧに共通して含まれるように設定し、端末がＣＢＧごとにＡ／Ｎフィードバックを構成する観点で、該当ＣＢを該当複数のＣＢＧのうちの特定の１つのみに含まれるように動作する場合に提案方式を適用できる。一例として、全体Ｋ個のＣＢをＭ個のＣＢＧで構成する時、全てのＣＢＧが同じくＣＢＧ当たりＣＢの数Ｎ＝ｃｅｉｌｉｎｇ(Ｋ／Ｍ)個のＣＢが含まれるように設定することができる。この時、Ｍ個のＣＢＧのうち、一部のＣＢＧは特定のＣＢを共通して含むように設定される。例えば、Ｍより小さい数のＣＢＧ集合内において任意の２つのＣＢＧが１つのＣＢを共通して含み、任意の２つのＣＢＧに共通して含まれるＣＢの数は総(Ｍ−ｍｏｄ(Ｋ，Ｍ))である。
【０２２３】
さらに他の方案として、１つのＣＢが複数のＳＧ(及び／又はＲＢＧ)にかけてマッピング／伝送されることを防止するために、或いは各々のＣＢＧに属するデータビットの数をＣＢＧの間でできる限り同一にするために、以下の方法が考えられる。スケジューリングされたＴＢＳをＡビットと仮定し、該当ＴＢＳに割り当てられたＳＧ又はＲＢＧ(一般化してＣＢＧ)の数をＭと仮定すると、まず各々のＣＢＧごとに(Ａ／Ｍ)或いはｃｅｉｌｉｎｇ(Ａ／Ｍ)或いはｆｌｏｏｒ(Ａ／Ｍ)個のデータビットが割り当てられる。次に、各々のＣＢＧごとに割り当てられたデータビットの数を方法Ｘ−１／２／３におけるＴＢＳに該当するビットの数Ｃｋに代替した状態で、方法Ｘ−１／２／３を適用して各々のＣＢＧに属する複数のＣＢを構成することができる。なお、単一のＣＢＧに対する符号化されたビットは、１つのＳＧ又はＲＢＧのみにマッピング／伝送されることができる。
【０２２４】
なお、１つのＳＧを構成するシンボルの数をデータ伝送に割り当てられたシンボルの数及び／又はＲＢの数(或いはＴＢＳ)によって変更する方式も可能である。例えば、(ＣＢＧの数をできる限り同一にするために)データ伝送に割り当てられたシンボルの数が大きいほどＳＧ当たりのシンボルの数が大きく構成される。また、(ＣＢＧサイズをできる限り同一にするために)データ伝送に割り当てられたＲＢの数(或いはＴＢＳ)が大きいほどＳＧ当たりのシンボルの数が小さく構成される。同様に、１つのＲＢＧを構成するＲＢの数をデータ伝送に割り当てられたＲＢの数及び／又はシンボルの数(或いはＴＢＳ)によって変更する方式も可能である。例えば、(ＣＢＧの数をできる限り同一にするために)データ伝送に割り当てられたＲＢの数が大きいほどＲＢＧ当たりのＲＢの数が大きく構成される。また、(ＣＢＧサイズをできる限り同一にするために)データ伝送に割り当てられたシンボルの数(或いはＴＢＳ)が大きいほどＲＢＧ当たりのＲＢの数が小さく構成される。
【０２２５】
５）方法Ａ−５：  全体ＣＢＧの数ＭとＣＢＧのサイズＮをＴＢＳごとに構成
【０２２６】
ＣＢＧ構成のための(Ｍ，Ｎ)組み合わせを各々のＴＢＳごとに(異なるように)設定できる。データスケジューリングの際にＣＢＧ指示のためのＤＣＩビットの数及び／又は対応するＡ／Ｎフィードバック構成のためのＵＣＩペイロードのサイズは、ＴＢＳごとに設定されたＭ値のうち、最大値Ｍ.ｍａｘに基づいて決定される。一例として、ＣＢＧ指示情報及び／又はＡ／ＮペイロードのサイズはＭ.ｍａｘ、ｃｅｉｌｉｎｇ(Ｍ.ｍａｘ／Ｋ)又はｃｅｉｌｉｎｇ(ｌｏｇ２(Ｍ.ｍａｘ))個のビットで設定される。ここで、Ｋは正の定数であり、例えばＫ＝２である。
【０２２７】
さらに、まずＴＢＳごとに適用される(Ｍ，Ｎ)組み合わせの集合をＴＢＳ−ＣＢＧ表と称すると、複数のＴＢＳ−ＣＢＧ表を予め定義／設定しておいた状態で、複数のＴＢＳ−ＣＢＧ表のうち１つを準−静的シグナリング(例えば、ＲＲＣシグナリング)又は動的シグナリング(例えば、ＤＣＩ)を通じて端末に指示する方式が考えられる。この場合、同一のＴＢＳに対応する(Ｍ，Ｎ)組み合わせが複数のＴＢＳ−ＣＢＧ表の間で異なるように構成されることができる。これにより、端末は指示されたＴＢＳ−ＣＢＧ表を参照して、ＤＬ／ＵＬスケジューリングＤＣＩを通じて指示されたＴＢＳに対応する(Ｍ，Ｎ)組み合わせを決定し、決定された該当(Ｍ，Ｎ)組み合わせに基づいてＤＬ／ＵＬデータの送受信及びＡ／Ｎフィードバックの伝送を行うことができる。
【０２２８】
他の方法として、全体のＴＢＳ集合を複数のＴＢＳ範囲に分けた状態で各々のＴＢＳ範囲ごとに異なるＣＢＧの構成方法を適用できる。一例として、ＴＢＳ範囲１に対しては方法Ａ−１又はＴＢＳごとにＣＢＧの数Ｍを異なるように(又はＣＢＧサイズＮを同一に)構成する反面、ＴＢＳ範囲２に対しては方法Ａ−２又はＴＢＳごとにＣＢＧの数Ｍを同一に構成することができる。この場合、ＤＣＩオーバーヘッド及び／又はＵＣＩペイロードを考慮して、ＴＢＳ範囲２はＴＢＳ範囲１に属したＴＢＳより大きいＴＢＳで構成されることができる。また他の方法として、各々のＴＢＳ範囲には同一のＣＢＧ構成(例えば、ＣＢＧの数／サイズ)を適用し、ＴＢＳ範囲の間にはＣＢＧの数／サイズなどを異なるように構成することができる。一例として、ＴＢＳ範囲１，２の各々に対しては方法Ａ−２又はＴＢＳごとにＣＢＧの数Ｍを同一に構成し、ＴＢＳ範囲１と２は各々異なるＭ値が設定されることができる。この場合、ＴＢＳ範囲２のＭがＴＢＳ範囲１のＭより大きい値に設定される。他の例として、ＴＢＳ範囲１，２の各々に対しては方法Ａ−１又はＴＢＳごとにＣＢＧのサイズＮを同一に構成し、ＴＢＳ範囲１と２は各々異なるＮ値が設定されることができる。この場合、ＴＢＳ範囲２のＮがＴＢＳ範囲１のＮより大きい値で設定される。
【０２２９】
６）方法Ａ−６：  データｔｏリソースマッピング以前に同一のＣＢＧに属したＣＢ間にインターリービングを適用
【０２３０】
特定(例えば、時間−選択的)のパターンを有する干渉(例えば、ＵＲＬＬＣパンクチャリング動作)の影響を考慮して、データ−ｔｏ−リソース(例えば、ＲＥ)マッピング前に、同一の１つのＣＢＧに属する複数のＣＢ(符号化されたビット)の間にｉｎｔｅｒ−ＣＢインターリービングを適用することができる。一例として、１つのＣＢＧに属する複数のＣＢ(符号化されたビット)に対して、１）まず各々のＣＢ内におけるｉｎｔｒａ−ＣＢ  インターリービングを適用した状態でさらにｉｎｔｅｒ−ＣＢインターリービングを適用するか、或いは２）(ＣＢＧ基盤のＨＡＲＱ動作が設定された場合には)ｉｎｔｒａ−ＣＢインターリービングを省略した状態でｉｎｔｅｒ−ＣＢインターリービングのみを適用することができる。ここで、データ−ｔｏ−リソースマッピングは、例えば、周波数−優先方式(ｆｒｅｑｕｅｎｃｙ−ｆｉｒｓｔ  ｍａｎｎｅｒ)に基づくＲＥマッピングを含む。
【０２３１】
上述した全ての提案方法において、Ｍ，Ｎ，Ｋは、互いに異なるＴＢＳに対して各々同一の値に設定／指示されるか、互いに異なるＴＢＳに対して各々異なる値に設定／指示されるか、或いはＴＢＳによって一部(例えば、Ｎ)は同一の値、その他(例えば、Ｍ，Ｋ)は各々異なる値に設定／指示されることができる。また、１つのＤＬデータスケジューリング／伝送が複数のスロットにかけて行われる方式を考える場合、上述した提案方法において１つのシンボル集合(ＳＧ)はスロットに基づいて構成／設定される(この場合、シンボルインデックスはスロットインデックスに代替して適用)。
【０２３２】
（Ｂ）ＨＡＲＱ−ＡＣＫフィードバック方法
【０２３３】
１）方法Ｂ−１：  ＣＢＧインデックス上に全てのＮＡＣＫが含まれた(最小の)範囲をフィードバックとして構成／伝送
【０２３４】
ＣＢＧの構成方式(例えば、ＣＢＧの数／サイズ)が与えられた状態で時間−選択的干渉による連続したＣＢＧインデックスにかけたデコードエラー(即ち、ＮＡＣＫ)を考慮して、端末は、１）(ＣＢＧインデックス上に)最初のＮＡＣＫであるＣＢＧインデックスと最後のＮＡＣＫであるＣＢＧインデックスを基地局にフィードバックするか、或いは２）最初のＮＡＣＫであるＣＢＧインデックス及び最初のＮＡＣＫと最後のＮＡＣＫの間の距離をフィードバックすることができる。ここで、１）と２）は、ＵＬリソース割り当てタイプ０に適用されるＲＩＶ(Ｒｅｓｏｕｒｃｅ  Ｉｎｄｉｃａｔｉｏｎ  Ｖａｌｕｅ)指示方式又はＵＬリソース割り当てタイプ１に適用される組み合わせ(ｃｏｍｂｉｎａｔｏｒｉａｌ)インデックス方式を使用してシグナリングされることができる。この場合、ＣＢＧの構成方式は方法Ａ−１／２／３／４を含むことができる。
【０２３５】
また、複数のＣＢＧ構成方式(例えば、ＣＢＧの数／サイズ)のうち１つを端末が直接選択し、選択されたＣＢＧの構成に基づいて、１）上記のようにＮＡＣＫが含まれた(最小の)ＣＢＧ範囲を決定して該当ＮＡＣＫ  ＣＢＧ範囲と選択されたＣＢＧの構成情報を一緒に基地局にフィードバックするか、或いは２）各々のＣＢＧごとに個々にＡ／Ｎビットを構成して(選択されたＣＢＧ構成情報とともに)基地局にフィードバックする方式も可能である。この場合にもＣＢＧの構成方式は方法Ａ−１／２／３／４を含むことができる。
【０２３６】
さらに、基地局からのＣＢＧスケジューリングにも上記の方法を適用できる。具体的には、１）(再)伝送が行われる最初と最後のＣＢＧインデックス、或いは２）最初のＣＢＧインデックスと(再)伝送される全体ＣＢＧの数ＬがＤＬデータスケジューリングＤＣＩを通じて指示されることができる。この場合、端末は、１）最初と最後のＣＢＧインデックスを含んでこれらの間にあるインデックスに対応するＣＢＧの集合、或いは２）最初のＣＢＧインデックスを含み、その後連続するＬ個のインデックスに対応するＣＢＧ集合がスケジューリングされたと仮定した／見なした状態で(受信)動作を行うことができる。
【０２３７】
２）方法Ｂ−２：  ツリー構造のＣＢＧ構成において、全てのＮＡＣＫが含まれた(最小サイズの)ＣＢＧをフィードバック
【０２３８】
方法Ａ−３のようなツリー構造に基づいて複数のＣＢＧ構成(例えば、(Ｍ，Ｎ)組み合わせ)が与えられた状態で、端末が１つの特定ＣＢＧ構成を選択し、選択されたＣＢＧ構成に基づいて全てのＮＡＣＫを含むＣＢＧインデックスを決定して、ＮＡＣＫ  ＣＢＧインデックスと選択されたＣＢＧ構成情報を一緒に基地局にフィードバックするように動作する。ここで、ＮＡＣＫ  ＣＢＧとしては、全てのＮＡＣＫを含みながら最小のサイズを有する１つのＣＢＧが選択されることが好ましい。言い換えれば、端末は、まずツリー構造を有する複数のＣＢＧ構成のうち、単一のＣＢＧが最小のサイズでありかつ全てのＮＡＣＫを含むようにする特定のＣＢＧ構成を選択し、選択された該当ＣＢＧ構成に基づいて全てのＮＡＣＫを含む１つのＣＢＧインデックスを決定して、これを(選択されたＣＢＧ構成情報とともに)基地局にフィードバックするように動作する。
【０２３９】
また同様に、方法Ａ−４のようなＳＧ(及び／又はＲＢＧ)に基づくツリー構造を有する(互いに異なるＳＧ(／ＲＢＧ)のサイズ／数に基づく)複数のＣＢＧ構成が与えられた状態で、端末が特定のＳＧ(／ＲＢＧ)に基づいて１つのＣＢＧ構成を選択し、選択されたＣＢＧ構成に基づいて全てのＮＡＣＫを含むＣＢＧインデックスを決定して、ＮＡＣＫ  ＣＢＧインデックスと選択されたＣＢＧ構成(又はこれに対応するＳＢ(／ＲＢＧ)構成)情報を一緒に基地局にフィードバックする方式も可能である。
【０２４０】
さらに、基地局からのＣＢＧスケジューリングにも上記方法を適用できる。具体的には、方法Ａ−３又はＡ−４のようなツリー構造を有する複数のＣＢＧ構成(例えば、Ｍ及び／又はＮ(組み合わせ)、又はＳＧ(／ＲＢＧ)のサイズ／数)が与えられた状態で、１つの特定のＣＢＧ構成に基づく１つのＣＢＧインデックスがＤＬデータスケジューリングＤＣＩを通じて指示されることができる。この場合、端末は該当ＣＢＧインデックスに属するＣＢＧ集合が該当ＤＣＩを通じてスケジューリングされたと仮定した／見なした状態で(受信)動作を行う。
【０２４１】
３）方法Ｂ−３：  １つのＨＡＲＱプロセスの間にＣＢＧ構成及び対応するＡ／Ｎ構成を同一に維持
【０２４２】
特定のＣＢＧのＡ／Ｎエラーによる余計なＲＬＣレベルのＤＬデータ再伝送を防止するために、１つのＨＡＲＱプロセスが行われる間(即ち、終了するまで)(基地局における再伝送(ＣＢＧ)スケジューリング(指示)のための)ＣＢＧ構成及び該当ＣＢＧ構成に対応するＡ／Ｎフィードバック構成を同一に維持することができる。具体的には、特定のＨＡＲＱプロセスＩＤを有するＤＬデータスケジューリング／伝送に最初に適用／指示されたＣＢＧの構成及び対応するＡ／Ｎフィードバックの構成を該当ＨＡＲＱプロセスが終了するまで(例えば、ＤＬデータのＴＢを構成する全てのＣＢに対してデコードに成功するまで、或いは同一のＨＡＲＱプロセスＩＤで(ＮＤＩがトグル(ｔｏｇｇｌｅ)された)新しいＤＬデータスケジューリングが始まるまで)同一に維持するように動作することができる。ここで、最初に適用／指示されたＣＢＧ及びＡ／Ｎ構成情報は、準−静的シグナリング(例えば、ＲＲＣシグナリング)又は動的シグナリング(例えば、ＤＣＩ、(初期)ＤＬデータスケジューリングＤＣＩ)を通じて端末に指示される。最初に適用／指示されたＣＢＧ及びＡ／Ｎ構成情報が準−静的シグナリング(例えば、ＲＲＣシグナリング)を通じて指示される場合、ＣＢＧ及びＡ／Ｎ構成情報は準−静的に固定され、新しいＲＲＣシグナリングがあるまで全てのＨＡＲＱプロセスにおいて同一に維持される。
【０２４３】
なお、端末は各々のＣＢＧごとにＡ／Ｎビットを構成してフィードバックし、各々のＣＢＧに対してデコードに成功するまで(該当ＣＢＧのスケジューリング有無に関係なく)該当ＣＢＧに対してＮＡＣＫをフィードバックするように動作し、デコードに成功した時点からは(該当ＣＢＧのスケジューリング有無に関係なく、また対応するＨＡＲＱプロセスの終了まで)該当ＣＢＧに対してＡＣＫをフィードバックするように動作する。
【０２４４】
図１７は本発明による信号伝送を例示する図である。図１７はＴＢ当たりのＣＢＧの数が３つに設定され、同一のＨＡＲＱプロセスに対してＴＢが(再)伝送される状況を仮定する(即ち、ＴＢに対応するＨＡＲＱプロセスが終了する前の動作を仮定)
【０２４５】
図１７を参照すると、端末はＴＢ(例えば、ＨＡＲＱプロセス＃ａ)に対してＣＢＧ＃０、＃２を基地局から受信することができる(Ｓ１７０２)。ここで、段階Ｓ１７０２のＴＢは、ＨＡＲＱプロセス＃ａに対応する初期伝送であるか又は再伝送である。また、ＣＢＧ＃１は以前にデコードに成功したことがないと仮定する。この場合、端末は３つのＣＢＧに対応するＡ／Ｎ情報を基地局に伝送し(Ｓ１７０４)、ＣＢＧ＃１に対するＡ／Ｎ情報はＮＡＣＫに設定し、ＣＢＧ＃０、＃２に対するＡ／Ｎ情報はデコード結果によってＡＣＫ又はＮＡＣＫに設定する。その後、基地局はＴＢ(例えば、ＨＡＲＱプロセス＃ａ)をＣＢＧ単位で再伝送し、端末は該当ＴＢに対してＣＢＧ＃１、＃２を受信することができる(Ｓ１７０６)。この場合、端末は３つのＣＢＧに対応するＡ／Ｎ情報を基地局に伝送し(Ｓ１７０８)、ＣＢＧ＃０は以前にデコードに成功したことがあるので、ＣＢＧ＃０に対するＡ／Ｎ情報はＡＣＫに設定し、ＣＢＧ＃１、＃２に対するＡ／Ｎ情報はデコード結果によってＡＣＫ又はＮＡＣＫに設定する。
【０２４６】
４）方法Ｂ−４：  スケジューリングされたＣＢ／ＣＢＧの数によって対応するＡ／Ｎ伝送時間遅れを異なるように設定
【０２４７】
同じ１つのＴＢ(サイズ)に対して同時にスケジューリングされたＣＢの数又はＣＢＧの数によって対応するＡ／Ｎ伝送時間遅れ(即ち、ＤＬデータ受信に対応するＡ／Ｎフィードバック伝送間の時間間隔)を異なるように設定する。具体的には、スケジューリングされたＣＢ又はＣＢＧの数が少ないほど対応するＡ／Ｎ遅れが小さく設定される。一例として、ＴＢ全体、即ち全てのＣＢがスケジューリングされた場合に比べて、一部のＣＢ又はＣＢＧがスケジューリングされた場合に対応するＡ／Ｎ遅れがもっと小さく設定される。また、同一のＣＢＧサイズを仮定した時、もっと少ない数のＣＢＧがスケジューリングされた場合に対応するＡ／Ｎ遅れがもっと小さく設定される。また、スケジューリングされたＣＢＧの数が同一である場合は、ＣＢＧサイズがもっと小さく構成された場合に対応するＡ／Ｎ遅れがもっと小さく設定される。
【０２４８】
５）方法Ｂ−５：  ＤＬデータスケジューリングとＡ／Ｎフィードバックの間にＣＢＧ構成(ＣＢＧの数／サイズ)を異なるように設定
【０２４９】
ＤＬデータスケジューリング／伝送に適用されるＣＢＧの構成(例えば、ＣＢＧの数／サイズ)と該当ＤＬデータ受信に対応するＡ／Ｎフィードバックに適用されるＣＢＧの構成を異なるように設定する。ここで、ＣＢＧの構成はＤＬデータスケジューリングＤＣＩを通じて指示される。具体的には、ＤＬデータスケジューリングのための(Ｍ，Ｎ)組み合わせとＡ／Ｎフィードバック構成のための(Ｍ，Ｎ)組み合わせが異なる値に設定される。一例として、ＤＬデータスケジューリングには(Ｍ１，Ｎ１)組み合わせが、Ａ／Ｎフィードバックには(Ｍ２，Ｎ２)組み合わせが各々設定される。これにより、Ｍ１＞Ｍ２(及びＮ１＜Ｎ２)に設定されたケース１とＭ１＜Ｍ２(及びＮ１＞Ｎ２)に設定されたケース２を比較した時、ケース１ではＤＣＩのビットの数が増加する反面、再伝送ＤＬのデータリソース及びＡ／Ｎフィードバックのビットの数は減少し、ケース２ではＤＣＩのビットの数は減少する反面、再伝送ＤＬのデータリソース及びＡ／Ｎフィードバックのビットの数は増加する。
【０２５０】
６）方法Ｂ−６：  スケジューリングされた複数のＣＢＧに対して各々のＣＢＧごとにＡ／Ｎ伝送時間遅れを異なるように設定
【０２５１】
同時にスケジューリングされた複数のＣＢＧに対して、各々のＣＢＧごとにＡ／Ｎ伝送時間遅れを異なるように設定する(即ち、ＣＢＧごとにＡ／ＮをＴＤＭさせて伝送)。具体的には、より低いシンボル(又はスロット)インデックスを通じて伝送されたＣＢＧに対応するＡ／Ｎ遅れがもっと小さく設定される。これにより、もっと低いシンボル(又はスロット)インデックスを通じて伝送されたＣＢＧに対応するＡ／Ｎは相対的により速いシンボル(又はスロット)タイミングでフィードバックされることができる。
【０２５２】
７）方法Ｂ−７：  (Ｍ個のＣＢＧで構成された)ＴＢ単位の(再)伝送スケジューリングに対応するＡ／Ｎフィードバックを構成
【０２５３】
ＴＢ単位のＡ／Ｎビットの構成とＣＢＧ単位のＡ／Ｎビットの構成のうちいずれかの方式でＡ／Ｎフィードバックを行うかについて、準−静的シグナリング(例えば、ＲＲＣシグナリング)又は動的シグナリング(例えば、(初期)ＤＬデータスケジューリングＤＣＩ)を通じて端末に指示されることができる。ＣＢＧ単位のＡ／Ｎビットの構成である場合、Ａ／Ｎペイロードのサイズ(及び該当Ａ／Ｎ伝送のためのＰＵＣＣＨフォーマット)が準−静的シグナリング(例えば、ＲＲＣシグナリング)を通じて設定される。この場合、与えられた(固定された)Ａ／Ｎペイロードのサイズ(例えば、Ｍ個のビット)によってＴＢを構成する全体ＣＢＧの数が決定される。例えば、ＣＢＧの数はＡ／Ｎのビットの数と同一にＭに決定される。これにより、互いに異なるＴＢＳについてもＴＢを構成するＣＢＧの数は同一に設定され、ＴＢＳによって１つのＣＢＧを構成するＣＢの数が異なるように(例えば、ＴＢＳに比例する値に)設定される。なお、ＴＢを構成する全体ＣＢの数が、与えられたＡ／Ｎペイロードのサイズと等しいか又は小さい場合、ＣＢに対するグルーピング無しに各々のＣＢごとにＡ／Ｎビットを割り当てる方式で全体Ａ／Ｎのフィードバックが構成される。反面、全体ＣＢの数Ｎが与えられたＡ／ＮペイロードのサイズＭ(ビット)より小さい場合は、ＣＢごとにＡ／Ｎビットを割り当て、１）ＣＢごとにＡ／Ｎに割り当てられないその他の(Ｍ−Ｎ)個のビットはＮＡＣＫと処理するか、或いは２）Ａ／Ｎペイロードのサイズ自体を全体ＣＢの数と同一にＮ(ビット)に変更することができる。
【０２５４】
なお、ＴＢＳごとに、ＴＢを構成するＣＢの数及びこれに基づくＣＢＧの構成(例えば、ＴＢを構成する全体ＣＢＧの数Ｍ、単一ＣＢＧを構成するＣＢの数Ｎ)が、予め定められた規則に基づいて決定される。またＴＢに設定されたＣＢＧの数に基づいてＡ／Ｎペイロードのサイズ及び対応するＰＵＣＣＨのフォーマットが設定される。例えば、ＴＢＳ(これによる全体ＣＢＧの数Ｍ)ごとにＣＢＧ単位のＡ／Ｎ伝送に使用されるＰＵＣＣＨフォーマット及び候補ＰＵＣＣＨリソースセットが独立して(異なるように)設定される。またＭ値及び／又は対応するＰＵＣＣＨフォーマットが準−静的シグナリング(例えば、ＲＲＣシグナリング)又は動的シグナリング(例えば、(ＤＬデータスケジューリング)ＤＣＩ)を通じて端末に指示される。一例として、複数の(Ｍ値、ＰＵＣＣＨフォーマット(及び候補ＰＵＣＣＨリソースセット))の組み合わせを予め指定しておいた状態でＤＣＩを通じて特定の１つの組み合わせが指示されるか、或いはＲＲＣ及び／又はＤＣＩを通じてＭ値とＰＵＣＣＨフォーマットが各々独立して指示される。なお、Ｍ値が指示されると、該当Ｍ値が予め指定されたＰＵＣＣＨフォーマット(及び候補ＰＵＣＣＨリソースセット)が自動的に決定されるか、或いはＰＵＣＣＨフォーマットが指示されると、該当ＰＵＣＣＨフォーマットに予め指定されたＭ値が自動的に決定される。
【０２５５】
他の方法として、Ｎ値及び／又は対応するＰＵＣＣＨフォーマットが準−静的シグナリング(例えば、ＲＲＣシグナリング)又は動的シグナリング(例えば、(ＤＬデータスケジューリング)ＤＣＩ)を通じて端末に指示される。一例として、複数のＮ値とこれによる複数の(Ｍ，ＰＵＣＣＨフォーマット(及び候補ＰＵＣＣＨリソースセット))の組み合わせを予め指定しておいた状態でＤＣＩを通じて特定の１つの組み合わせが指示されるか、或いはＲＲＣシグナリング及び／又はＤＣＩを通じてＮ値とＰＵＣＣＨフォーマットが各々独立して指示されることができる。なお、Ｎ値が指示されると、これによるＭ値に指定されたＰＵＣＣＨフォーマット(及び候補ＰＵＣＣＨリソースセット)が自動的に決定されるか、或いはＰＵＣＣＨフォーマットが指示されると、これによるＡ／Ｎペイロードのサイズ(例えば、Ｍ個のビット)に基づいて全体ＣＢＧの数及びＣＢＧ当たりのＣＢの数が自動的に決定される。
【０２５６】
８）方法Ｂ−８：  (ＴＢを構成するＭ個のＣＢＧのうち)一部のＣＢＧの(再)伝送に対応するＡ／Ｎフィードバックを構成
【０２５７】
ＴＢを構成する全体Ｍ個のＣＢＧのうち、Ｌ個(Ｌ＜Ｍ)以下のＣＢＧに対する(再)伝送スケジューリングの際、以下の方法が考えられる。
【０２５８】
Ｏｐｔ  １）(方法Ｂ−７のような)ＴＢ単位の(再)伝送に対応するＡ／Ｎフィードバックの場合と同一のＡ／Ｎペイロードのサイズ(例えば、Ｍ個のビット)が適用される。これにより、実際にＡ／Ｎは(再伝送スケジューリングされたＣＢＧに対応する)Ｌ個のビットにのみマッピングされ、(スケジューリングされていないＣＢＧに対応する)その他の(Ｍ−Ｌ)個のビットは(方法Ｂ−３と同様に)対応するＣＢＧのデコードの成功／失敗によってＡＣＫ又はＮＡＣＫにマッピングされるか、或いはＮＡＣＫと処理される。Ｏｐｔ  ２）ＴＢ単位の(再)伝送に対応するＡ／Ｎフィードバックの場合とは異なる(例えば、より小さい)Ａ／Ｎペイロードのサイズ(及びＰＵＣＣＨフォーマット)が適用されることができる。Ｏｐｔ  ２の場合、Ａ／Ｎペイロードのサイズ(及びＰＵＣＣＨフォーマット）はスケジューリングされたＣＢＧの数Ｌによって変更できる。一例として、Ａ／ＮペイロードはＬ個のビットのみで構成できる。
【０２５９】
ここで、Ｌは、準−静的シグナリング(例えば、ＲＲＣシグナリング)を通じて１つの値に準固定されるか、或いは動的シグナリング(例えば、ＤＬデータスケジューリングＤＣＩ)を通じて動的に変更できる。前者の場合、ＣＢＧ単位のスケジューリングＤＣＩを通じて全体Ｍ個のＣＢＧのうち、最大Ｌ個までのＣＢＧに対するスケジューリングができるように対応するＣＢＧ指示シグナリングが構成される。さらに、ＴＢを構成する全体Ｍ個のＣＢＧのうちのＬ個(Ｌ＜Ｍ)以下のＣＢＧに対してのみ(基地局からの)再伝送スケジューリングが行われる。この場合、スケジューリング対象のＣＢＧの数がＬを超えると、基地局／端末はＴＢ単位のスケジューリング(ＤＣＩ伝送)／Ａ／Ｎフィードバックを行うことができる。
【０２６０】
なお、Ｏｐｔ  １と２は基本的にＴＢスケジューリング／伝送に最初に適用／指示されたＣＢＧ構成(例えば、ＴＢを構成する全体ＣＢＧの数Ｍ、単位ＣＢＧを構成するＣＢの数Ｎ)がＨＡＲＱプロセスの間に同一に維持されることを仮定して適用できる。
【０２６１】
さらに、Ｏｐｔ  １の場合、Ａ／ＮペイロードのサイズはＴＢ単位の(再)伝送に基づいて設定され(例えば、Ｍ個のビット)、実際にスケジューリングされたＣＢＧに対してのみＡ／Ｎフィードバックを構成するために、スケジューリングされたＬ個のＣＢＧ(各々Ｎ個のＣＢで構成)全体に属した複数のＣＢを再び(Ｎより小さい数のＣＢで構成された)Ｍ個のＣＢＧで再構成し、それに基づいてＣＢＧ単位のＡ／Ｎビットの割り当てによる全体Ａ／Ｎのフィードバックが構成される。この場合、基地局もＡ／Ｎフィードバックに対応するＭ個のＣＢＧを全体ＣＢＧ集合と仮定して、再伝送スケジューリングを行うことができる。なお、ＤＬデータの受信端又はＡ／Ｎ伝送端に該当する端末でＣＢの再グルーピング過程が伴われる状況において、ＮＡＣＫ−ｔｏ−ＡＣＫエラーが発生した場合、ＣＢＧ構成に対する端末と基地局の間の不一致(それによる性能低下)が引き起こされることができる。かかる問題を勘案して、Ｍ個のＣＢＧごとのＡ／Ｎ情報以外に、さらにＴＢ単位のＮＡＣＫフィードバック(有無)又はＴＢ全体の再伝送要請(有無)を知らせる用途の指示者(例えば、１ビット)を含んで全体Ａ／Ｎフィードバック(ペイロード)を構成することができる。これにより端末はＣＢＧ構成に不一致が発生した場合、該当指示者を“ＴＢ単位ＮＡＣＫ”又は“ＴＢ再伝送の要請”に対応する状態にマッピング／伝送することができる。これを受信した基地局は再び再グルーピング以前の初期ＣＢＧの構成に基づいてＴＢスケジューリングを行うことができる。
【０２６２】
一方、Ｏｐｔ  ２におけるＡ／Ｎフィードバックに対応するＣＢＧの再伝送スケジューリングＤＣＩの場合、１）Ａ／Ｎペイロードのサイズの変更に関係なく全体ＣＢＧの数Ｍを基準として再伝送ＣＢＧ指示形態、或いは２）端末がＮＡＣＫにフィードバックした(Ｍ個以下の)ＣＢＧ集合を全体ＣＢＧ構成として仮定した状態におけるＣＢＧ指示形態で対応するシグナリングが構成される。
【０２６３】
さらに、ＣＢＧ(再伝送)のスケジューリングに対してＯｐｔ１のようにスケジューリングされたＣＢＧの数に関係なく常に(固定した)同一のＡ／Ｎペイロードのサイズ(及びＰＵＣＣＨフォーマット)を適用するか、或いはＯｐｔ  ２のようにスケジューリングされたＣＢＧの数に基づいてＡ／Ｎペイロードのサイズ(及びＰＵＣＣＨフォーマット)を(動的に)変更適用するかについて、準−静的シグナリング(例えば、ＲＲＣシグナリング)又は動的シグナリング(例えば、(ＤＬデータスケジューリング)ＤＣＩ)を通じて端末に指示する方式も可能である。
【０２６４】
９）方法Ｂ−９：  (ＴＢを構成するＭ個のＣＢＧのうち)一部がＮＡＣＫである場合にのみＣＢＧ単位のＡ／Ｎフィードバック
【０２６５】
ＴＢを構成する全体Ｍ個のＣＢＧのうち、ＮＡＣＫであるＣＢＧの数がＬ(Ｌ＜Ｍ)以下である場合にのみＣＢＧ単位のＡ／Ｎフィードバックを構成／伝送できる(例えば、各々のＣＢＧごとに個々にＡ／Ｎビットを割り当て)。なお、ＮＡＣＫであるＣＢＧの数がＬを超える場合には、ＴＢ単位のＡ／Ｎフィードバックを構成／伝送するように動作する。この場合、Ｌ個以下のＮＡＣＫに対してのみＣＢＧ単位のＡ／Ｎフィードバックを構成するので、ＣＢＧ単位(再伝送)のスケジューリングＤＣＩを通じた再伝送ＣＢＧ(インデックス)指示は、１）全体Ｍ個のうち、Ｌ個以下のＣＢＧに対する指示形態であるか、或いは２）端末がＮＡＣＫにフィードバックした(Ｌ個以下の)ＣＢＧ集合を全体ＣＢＧ構成として仮定した状態におけるＣＢＧ指示の形態で対応するシグナリングが構成される。例えば、ｉ＝{１，…，Ｌ}である時、全てのｉ値に対して全体Ｍ個のＣＢＧのうち、ｉ個のＣＢＧを選択する全ての組み合わせをインデクシングし、端末はＮＡＣＫであるＣＢＧ集合を指示するために該当インデックスのうち１つを基地局にフィードバックすることができる。
【０２６６】
１０）方法Ｂ−１０：  最大のＣＢＧの数がＭに制限される形態のＣＢＧ再伝送スケジューリング及びＡ／Ｎフィードバック
【０２６７】
基地局スケジューリングの観点で、全体ＣＢＧの構成をＭｒ個のＣＢＧで構成し(Ｍｒ≦Ｍ)、そのうち、Ｌ個のＣＢＧに対する再伝送を端末に指示するように動作できる(Ｌ≦Ｍｒ)。ここで、Ｍは少なくとも１つのＴＢ伝送或いは１つのＨＡＲＱプロセスの間に固定された値を有する反面、Ｍｒ(及びＬ)は(再伝送)スケジューリング時点ごとに変更できる。
【０２６８】
この場合、端末はＡ／Ｎフィードバックの観点で以下のように動作できる。
【０２６９】
Ｏｐｔ  １）できる限り最大のＣＢＧの数Ｍに基づいてＡ／Ｎフィードバックを構成する。例えば、全体Ａ／ＮペイロードのサイズをＭ個のビットで構成し、実際にスケジューリングされていないＣＢＧに対応する(Ｍ−Ｌ)個のビットに対してはＮＡＣＫ又はＤＴＸと処理する。
【０２７０】
Ｏｐｔ  ２）スケジューリング時点における全体ＣＢＧの数Ｍｒに基づいてＡ／Ｎフィードバックを構成する。例えば、全体Ａ／ＮペイロードのサイズをＭｒ個のビットで構成し、実際にスケジューリングされていないＣＢＧに対応する(Ｍｒ−Ｌ)個のビットに対してはＮＡＣＫ又はＤＴＸと処理する。
【０２７１】
Ｏｐｔ  ３）スケジューリングされたＣＢＧの数Ｌに基づいてＡ／Ｎフィードバックを構成する。例えば、全体Ａ／ＮペイロードのサイズをＬ個のビットで構成し、スケジューリングされたＣＢＧごとにＡ／Ｎビットをマッピング／伝送する。
【０２７２】
Ｏｐｔ  ２／３の場合、Ｍｒ値或いはＬ値によってＡ／Ｎペイロードのサイズが変更でき、これにより、Ａ／Ｎフィードバック伝送に使用されるＰＵＣＣＨフォーマット(及び候補ＰＵＣＣＨリソースセット)も変更できる。
【０２７３】
この場合、基地局における再伝送スケジューリングのための全体Ｍｒ個のＣＢＧ構成は、ＴＢを構成する全体ＣＢ集合に対して構成されるか(即ち、全体ＣＢＧ集合がＴＢ全体と同一)、或いは全体ＣＢのうち特定の一部に限って構成されることができる(即ち、全体ＣＢＧ集合がＴＢの一部に該当)。前者の場合、１つのＴＢ伝送或いは１つのＨＡＲＱプロセスに対して特定のスケジューリング時点におけるＭｒ値としては、以前のスケジューリング時点におけるＭｒ値より常に小さいか又は等しい値のみが設定されるように制限される。後者の場合、該当特定の一部ＣＢは、１）以前のスケジューリング時点にスケジューリングされたＬ個のＣＢＧに属したＣＢ集合を意味するか、或いは２）スケジューリングされたＬ個のＣＢＧのうち、端末からＮＡＣＫにフィードバックされたＣＢＧに属したＣＢ集合を意味する。
【０２７４】
１１）方法Ｂ−１１：  Ａ／Ｎフィードバック伝送前に再伝送スケジューリングされた(ｓｕｂｓｅｑｕｅｎｔ)ＣＢＧに対する処理
【０２７５】
特定のＴＢ(以下、オリジナルＴＢ)の受信に対応するＡ／Ｎフィードバック(以下、ｆｉｒｓｔ  Ａ／Ｎ)の伝送以前の時点に同一のＴＢに対するＣＢＧの再伝送(以下、ｓｕｂｓｅｑｕｅｎｔ  ＣＢＧ)がスケジューリングされる状況が発生することができる。この時、ｓｕｂｓｅｑｕｅｎｔ  ＣＢＧに対する受信の合成(ｃｏｍｂｉｎｉｎｇ)まで反映したＡ／Ｎフィードバックをｆｉｒｓｔ  Ａ／Ｎの時点を通じて伝送する動作が、ｓｕｂｓｅｑｕｅｎｔ  ＣＢＧに対するデコードの終了時点が遅くなりすぎたことにより、不可能である場合がある。ここで、受信の合成とは、以前に受信した信号が貯蔵されたバッファを空にした(フラッシュ(ｆｌｕｓｈ)した)後、ｓｕｂｓｅｑｕｅｎｔ  ＣＢＧを貯蔵する動作を意味する。この場合、端末は、１）オリジナルＴＢに対してのみデコード結果によるＡ／Ｎフィードバックをｆｉｒｓｔ  Ａ／Ｎ時点に伝送し、ｓｕｂｓｅｑｕｅｎｔ  ＣＢＧに対しては(以後の時点におけるＡ／Ｎフィードバックのために)受信の合成を行うか、或いは２）ｓｕｂｓｅｑｕｅｎｔ  ＣＢＧの受信の合成まで反映したデコード結果によるＡ／Ｎフィードバックをｆｉｒｓｔ  Ａ／Ｎ時点より特定の遅れほど遅くなった時点で伝送することができる。２）の場合、ｆｉｒｓｔ  Ａ／Ｎ時点におけるＡ／Ｎ伝送は省略されるか、或いはオリジナルＴＢに対するＡ／Ｎのみが伝送されることができる。
【０２７６】
なお、ＵＬデータスケジューリングの状況でも同様に特定(又は初期)ＴＢの伝送以前の時点に同一のＴＢに対する(ｓｕｂｓｅｑｕｅｎｔ)ＣＢＧ再伝送がスケジューリングされることができる。ここで、オリジナルＴＢの伝送時点(以下、ＴＸ  ｔｉｍｉｎｇ  １)とｓｕｂｓｅｑｕｅｎｔ  ＣＢＧの伝送時点(以下、ＴＸ  ｔｉｍｉｎｇ  ２)は互いに異なりつつ、ＴＸ  ｔｉｍｉｎｇ  ２がＴＸ  ｔｉｍｉｎｇ  １より遅い時点に指示されることができる。この場合、端末はＴＸ  ｔｉｍｉｎｇ  １を通じてはスケジューリングされたオリジナルＴＢ信号のうち、ｓｕｂｓｅｑｕｅｎｔ  ＣＢＧに該当するＣＢＧを除いた(例えば、該当ＣＢＧがマッピングされたＲＥ／ＲＢ／シンボルに対してパンクチャリングした)その他の信号のみを伝送し、ＴＸ  ｔｉｍｉｎｇ  ２を通じては再伝送スケジューリングされたｓｕｂｓｅｑｕｅｎｔ  ＣＢＧをそのまま伝送することができる。
【０２７７】
また、ＤＬデータに対するクロス−スロットスケジューリングの状況でも同様に、特定(又は初期)ＴＢの受信以前の時点に同一のＴＢに対する(ｓｕｂｓｅｑｕｅｎｔ)ＣＢＧ再伝送がスケジューリングされることができる。ここで、オリジナルＴＢの受信時点(以下、ＴＸ  ｔｉｍｉｎｇ  １)とｓｕｂｓｅｑｕｅｎｔ  ＣＢＧの受信時点(以下、ＴＸ  ｔｉｍｉｎｇ  ２)は互いに異なりつつ、ＴＸ  ｔｉｍｉｎｇ  ２がＴＸ  ｔｉｍｉｎｇ  １より遅い時点に指示されることができる。この場合、端末はＴＸ  ｔｉｍｉｎｇ  １を通じてはスケジューリングされたオリジナルＴＢ信号のうち、ｓｕｂｓｅｑｕｅｎｔ  ＣＢＧに該当するＣＢＧを除いた(例えば、該当ＣＢＧがマッピングされたＲＥ／ＲＢ／シンボルに対してパンクチャリングした)その他の信号のみを受信し、ＴＸ  ｔｉｍｉｎｇ  ２を通じては再伝送スケジューリングされたｓｕｂｓｅｑｕｅｎｔ  ＣＢＧをそのまま受信することができる。
【０２７８】
（Ｃ）ソフトバッファの運営方法
【０２７９】
１）方法Ｃ−１：  ＮＡＣＫであるＣＢＧに属したＣＢの数の総合を基準としてＣＢ当たりの最小バッファサイズを決定
【０２８０】
１つのＨＡＲＱプロセス或いは１つのＴＢに割り当てられたＴＢ当たりの(最小)バッファサイズＢｔに対して、端末が(基地局に)ＮＡＣＫにフィードバックした(複数の)ＣＢＧに属したＣＢの数の総合Ｃｎで割ったバッファサイズＢｃを、端末受信観点におけるＣＢ当たりの最小バッファサイズと決定する方式が考えられる(例えば、Ｂｃ＝Ｂｔ／Ｃｎ)。具体的には、以下の式のように、式４におけるＣをＣｎに代替することが考えられる。ここで、ＣＢ当たりの最小バッファサイズは、例えば、ＴＢ伝送に対して各々のＣＢごとに端末がバッファに貯蔵すべき最小(ソフトチャネル）のビットの数を意味する。
【０２８１】
[式５]
2019527506.tif 000018
【０２８２】
この場合、ＴＢ単位のＡ／Ｎフィードバックに基づく既存の方式と比較した時、(例えば、Ｃ＞Ｃｎであるので)ＣＢ当たりの最小バッファサイズが増加するという長所がある。また、１つのＨＡＲＱプロセス或いは１つのＴＢ伝送に適用されるＣｎは、１）ＣＢＧ単位で構成された最初のＡ／Ｎフィードバック(このうち、ＮＡＣＫであるＣＢＧ)のみを基準として決定されるか(即ち、ＣｎをＨＡＲＱプロセス終了まで同一に適用)、或いは２）Ａ／Ｎ伝送時点ごとに各々の時点におけるＡ／Ｎフィードバック(このうち、ＮＡＣＫであるＣＢＧ)に基づいて決定されることができる(即ち、Ｃｎを毎スケジューリング／フィードバックの時点におけるＮＡＣＫ  ＣＢＧによって決定)。
【０２８３】
なお、式５に方法Ｃ−２のＣｎ(即ち、基地局の観点でＮＡＣＫにフィードバックされた或いは再伝送が必要な(或いは、ＡＣＫフィードバックを受信できなかった)(複数の)ＣＢＧに属したＣＢの数の総合)を適用する方式も考えられる。
【０２８４】
２）方法Ｃ−２：  再伝送ＣＢＧ信号に対する基地局における(制限された／循環(ｌｉｍｉｔｅｄ／ｃｉｒｃｕｌａｒ)バッファ)レートマッチング動作
【０２８５】
基地局の観点で(端末から)ＮＡＣＫにフィードバックされた或いは再伝送が必要な全てのＣＢＧを基準として(制限した/循環バッファ)レートマッチングを行う時、Ａ／Ｎエラーにより基地局の観点におけるＮＡＣＫ  ＣＢＧと端末がフィードバックしたＮＡＣＫ  ＣＢＧ間に不一致が発生することができる。かかる不一致をなくすために、以下の動作が考えられる。
【０２８６】
１）基地局は(端末から)ＮＡＣＫにフィードバックされた(或いはＡＣＫフィードバックを受信できなかった)全てのＣＢＧに対して常に一緒に／同時に再伝送スケジューリングを行うように動作するか(即ち、一部のＮＡＣＫ  ＣＢＧに対してのみ再伝送スケジューリングする動作を許容しない)(端末はこれを仮定した／見なした状態で動作)、或いは
【０２８７】
２）(基地局が全体ＮＡＣＫ  ＣＢＧのうち一部に対してのみ再伝送スケジューリングする動作を許容するが)基地局の観点でＮＡＣＫにフィードバックされた或いは再伝送が必要な(或いはＡＣＫフィードバックを受信できなかった)全体ＣＢＧの情報(例えば、ＮＡＣＫ  ＣＢＧの数／インデックス)をＤＬデータスケジューリングＤＣＩを通じて端末に指示する動作が考えられる。
【０２８８】
この場合にも、１つのＨＡＲＱプロセス或いは１つのＴＢに割り当てられたＴＢ当たりの(最小)バッファサイズＢｔを、基地局の観点でＮＡＣＫにフィードバックされた或いは再伝送が必要な(或いはＡＣＫフィードバックを受信できなかった)(複数の)ＣＢＧに属したＣＢの数の総合Ｃｎで割ったバッファサイズＢｃを、基地局の伝送観点におけるＣＢ当たりの最小バッファサイズと決定することができる(例えば、Ｂｃ＝Ｂｔ／Ｃｎ)。具体的には、以下の式のように、式２におけるＣをＣｎに代替することが考えられる。
【０２８９】
[式６]
2019527506.tif 000019
【０２９０】
この時にも、ＴＢ単位の再伝送のみを適用する既存の方式と比較した時、(例えば、Ｃ＞Ｃｎであるので)ＣＢ当たりの最小バッファサイズが増加するという長所がある。１つのＴＢ伝送に適用されるＣｎは、１）最初に行われたＣＢＧ単位の再伝送時点に基づいて決定されるか(即ち、ＣｎをＨＡＲＱプロセス終了まで同一に適用)、或いは２）ＣＢＧ単位の再伝送時点ごとに決定されることができる(即ち、Ｃｎを各々の時点に基づいてＮＡＣＫにフィードバックされた或いは再伝送が必要な(或いはＡＣＫフィードバックできなかった)ＣＢＧの数によって決定)。
【０２９１】
なお、データスケジューリングＤＣＩを通じて、(再)伝送されるＣＢＧインデックスに対する指示情報及び各々のＣＢＧごとにバッファフラッシュ指示情報がシグナリングされる場合、(再)伝送指示のないＣＢＧインデックスに対してはバッファフラッシュ指示情報のシグナリングが不要であることができる。ここで、バッファフラッシュ情報は、受信されたＣＢＧ信号をバッファに貯蔵する前に該当バッファをフラッシュして空にするか、或いは空にせず既存に貯蔵されているＣＢＧ信号と合成するかに関する情報を含む。(再)伝送指示のないＣＢＧインデックスに対してバッファをフラッシュして空にするように指示された(又は逆にバッファを空にせず合成するように指示された)場合、端末は該当ＣＢＧインデックスを基地局の観点でＡＣＫフィードバックが受信された或いは再伝送が要求されないＣＢＧと見なした／仮定した状態で動作を行うことができる。逆に、バッファを空にせず合成するように指示された(又は逆にバッファをフラッシュして空にするように指示された)場合には、端末は該当ＣＢＧインデックス(これに対応する受信バッファ)に対していかなる動作も行わない。
【０２９２】
３）方法Ｃ−３：  ＣＢＧ単位のスケジューリングによるＡ／ＮフィードバックＰＵＣＣＨ伝送へのパワーオフセット適用
【０２９３】
ＣＢＧ単位で構成されたＡ／Ｎフィードバックを運ぶＰＵＣＣＨ伝送に付加／適用されるパワーオフセットをＯｐｔ  １／２／３／４／５／６／７の値に比例する値に決定できる。これにより、Ｏｐｔ  １／２／３／４／５／６／７においてＣＢＧの数が大きいほど該当するパワーオフセットを大きい値に付加／適用することができる。
【０２９４】
Ｏｐｔ  １）  (Ａ／Ｎ間の区分無しに)Ａ／Ｎビットが割り当てられた或いはＡ／Ｎフィードバック対象となる全体ＣＢＧの数
【０２９５】
Ｏｐｔ  ２）  基地局からスケジューリングされたＣＢＧの数
【０２９６】
Ｏｐｔ  ３）  方法Ｃ−２において基地局から指示された(基地局における)ＮＡＣＫ  ＣＢＧの数
【０２９７】
Ｏｐｔ  ４）  端末におけるＮＡＣＫ  ＣＢＧの数
【０２９８】
Ｏｐｔ  ５）  方法Ｂ−３のようなＡ／Ｎフィードバック構成方式を考慮して、Ｏｐｔ  ２のＣＢＧの数と、スケジューリングされなかったがＡＣＫにフィードバックしたＣＢＧの数の総合
【０２９９】
Ｏｐｔ  ６）  Ｏｐｔ  ３のＣＢＧの数と、スケジューリングされなかったがＡＣＫにフィードバックしたＣＢＧの数の総合
【０３００】
Ｏｐｔ  ７）  特定のタイミングを通じたＡ／Ｎ  ＰＵＣＣＨ伝送に付加／適用されるパワーオフセットを該当タイミング以前の時点で既にＡＣＫにフィードバックしたＣＢＧを除いたその他のＣＢＧの数
【０３０１】
（Ｄ）ミスマッチ(Ｍｉｓｍａｔｃｈ)ハンドリング方法
【０３０２】
１）方法Ｄ−１：  端末がフィードバックしたＣＢＧごとのＡ／Ｎ情報と基地局から再伝送スケジューリングされたＣＢＧの間の不一致
【０３０３】
端末がフィードバックしたＣＢＧごとのＡ／Ｎ情報とこれに対応して基地局から再伝送スケジューリングされたＣＢＧインデックスの間に(Ａ／Ｎエラーに基づく)不一致が発生することができる。例えば、基地局からスケジューリングされたＣＢＧインデックスに端末がＮＡＣＫにフィードバックしたＣＢＧの一部が含まれていないか／含まれておらず、予めＡＣＫにフィードバックしたＣＢＧが含まれている可能性がある。この場合、端末が以下の動作を行うように設定される。
【０３０４】
Ｏｐｔ  １）  スケジューリングされたＣＢＧのうち、以前にＮＡＣＫにフィードバックしたＣＢＧについては合成した後にデコードしたＡ／Ｎ結果をマッピングするか、
【０３０５】
Ｏｐｔ  ２）  スケジューリングされたＣＢＧのうち、以前にＡＣＫにフィードバックしたＣＢＧについては(合成／デコードを省略した状態で)再びＡＣＫをマッピングするか(方法Ｂ−３を参照)、
【０３０６】
Ｏｐｔ  ３）  全てのＣＢＧに対してＮＡＣＫをマッピングするか、
【０３０７】
Ｏｐｔ  ４）  ＴＢ単位のＮＡＣＫフィードバック又はＴＢ全体の再伝送要請を行うか、或いは
【０３０８】
Ｏｐｔ  ５）  該当ＣＢＧスケジューリングＤＣＩを捨てる(ｄｉｓｃａｒｄ)ように動作することができる。
【０３０９】
なお、スケジューリングされたＣＢＧに以前にＮＡＣＫにフィードバックしたＣＢＧが全て含まれている場合には、Ｏｐｔ  １／２のうちの１つを適用し、含まれていない場合には、Ｏｐｔ  ３／４／５のうちの１つを適用することもできる。
【０３１０】
２）方法Ｄ−２：  ＴＢ全体に適用されたＣＲＣとＣＢ単位及び／又はＣＢＧ単位で適用されたＣＲＣの間の不一致
【０３１１】
ＴＢ全体に適用されたＣＲＣ、ＣＢ単位で適用されたＣＲＣ、ＣＢＧ単位で適用されたＣＲＣの間において、端末における受信ＣＲＣのチェック結果(例えば、成功／失敗)が異なることができる。ここで、ＣＲＣチェック結果が成功(ｐａｓｓ)であると、該当データブロックが成功的に／正確に検出されたことを意味し、ＣＲＣチェック結果が失敗(ｆａｉｌ)であると、該当データブロックが成功的に／正確に検出されなかったことを意味する。
【０３１２】
一例として、ＣＢ及び／又はＣＢＧ単位のＣＲＣチェック結果が全部成功である反面(即ち、ＣＢ  ＣＲＣ基盤のＣＲＣチェックは成功)、ＴＢ全体のＣＲＣチェック結果は失敗であることができる(即ち、ＴＢ  ＣＲＣ基盤のＣＲＣチェックは失敗)。逆に、少なくとも１つのＣＢ及び／又はＣＢＧ単位のＣＲＣチェック結果は失敗である反面(即ち、ＣＢ  ＣＲＣ基盤のＣＲＣチェックは失敗)、ＴＢ全体のＣＲＣチェック結果は成功であることができる(即ち、ＴＢ  ＣＲＣ基盤のＣＲＣチェックは成功)。この場合、端末は方法Ｄ−１のＯｐｔ  ３／４／５のうちいずれかの方式を適用できる。方法Ｄ−１のＯｐｔ  ３／４／５は以下の通りである。
【０３１３】
Ｏｐｔ  ３）  全てのＣＢＧに対してＮＡＣＫをマッピングするか、
【０３１４】
Ｏｐｔ  ４）  ＴＢ単位のＮＡＣＫフィードバック又はＴＢ全体の再伝送要請を行うか、或いは
【０３１５】
Ｏｐｔ  ５）  該当ＣＢＧスケジューリングＤＣＩを捨てることができる。
【０３１６】
他の例として、特定の１つのＣＢＧに属したＣＢ単位のＣＲＣチェック結果はいずれも成功である反面、該当ＣＢＧ全体のＣＲＣチェック結果は失敗であることができる。逆に、特定のＣＢＧに属した少なくとも１つのＣＢ単位のＣＲＣチェック結果は失敗にもかかわらず、該当ＣＢＧ全体のＣＲＣチェック結果は成功であることができる。この場合、端末は該当ＣＢＧに対してＮＡＣＫにマッピングしてフィードバックするか、或いは方法Ｄ−１のＯｐｔ  ３／４／５のうちいずれかの方式を適用することができる。
【０３１７】
（Ｅ）ＣＢＧスケジューリングＤＣＩ構成
【０３１８】
１）方法Ｅ−１：  ＣＢＧ単位のスケジューリング(ＤＣＩ)においてＲＶの構成及び設定
【０３１９】
ＣＢＧ単位の(再伝送)スケジューリングＤＣＩにおいて、ＲＶフィールドを、１）ＴＢ単位のスケジューリングＤＣＩのＲＶフィールドと同一のサイズで１つだけ構成し、指示されたＲＶ値をスケジューリングされたＣＢＧ全体に同一に適用するか(この時、ＲＶ値の種類はＴＢ単位スケジューリングの場合と同一に構成)、或いは２）各々のＣＢＧごとに個々にＲＶフィールドを構成し、各々のサイズをＴＢ単位スケジューリングＤＣＩのＲＶフィールドより小さく構成することができる(但し、ＲＶ値の種類はＴＢ単位スケジューリングの場合より少なく構成)。
【０３２０】
２）方法Ｅ−２：  (ＴＢを構成するＭ個のＣＢＧのうち)一部のＣＢＧに対する再伝送スケジューリングを行う
【０３２１】
ＴＢを構成する全体Ｍ個のＣＢＧのうち、最大Ｌ個(Ｌ＜Ｍ)までのＣＢＧに対してのみ再伝送スケジューリングができるように動作する。ここで、Ｌは準−静的シグナリング(例えば、ＲＲＣシグナリング)を通じて１つの値が端末に指示される。これにより、基地局からのＣＢＧ単位のスケジューリングＤＣＩを通じて全体Ｍ個のＣＢＧのうち、最大Ｌ個のＣＢＧが指示され、Ｌ個を超えたＣＢＧに対する再伝送スケジューリングに対してはＴＢ単位スケジューリングＤＣＩ(或いは、ＤＣＩ内にＴＢ単位の(再)伝送スケジューリングを指示するフラグ)が適用される。詳しくは、ｉ＝{１，…，Ｌ}である時、全体Ｍ個のＣＢＧのうちｉ個のＣＢＧを選択する全ての組み合わせをインデックスし、該当インデックスのうち１つに該当するＣＢＧ集合／組み合わせがＣＢＧ再伝送スケジューリングＤＣＩを通じて端末に指示される方式が考えられる。
【０３２２】
３）方法Ｅ−３：  ＣＢＧ単位のスケジューリング(ＤＣＩ)においてＮＤＩフィールドの使用
【０３２３】
ＴＢ全体に対する(再)伝送であるか、或いは(ＴＢを構成する全体ＣＢＧのうち)一部のＣＢＧに対する再伝送であるかによって、ＮＤＩフィールドを異なって解釈することができる。一例として、ＤＣＩを通じてＴＢを構成する全てのＣＢＧが伝送されるように指示されるとともに、ＮＤＩビットがトグルされた組み合わせを新しいデータ伝送に対するスケジューリングと認識するように動作することができる。これにより、ＤＣＩを通じて全体ＣＢＧのうち一部のみが伝送されるように指示されるケースは(新しいデータではない)再伝送と見なされ、ＮＤＩフィールドは他の特定の用途に使用されることができる。他の例として、ＤＣＩを通じてＴＢ全体に対する伝送であるか或いは一部のＣＢＧに対する伝送であるかを指示する指示者が直接シグナリングされることができる。この時は、ＴＢ全体の伝送が指示されるとともに、ＮＤＩビットがトグルされた組み合わせを新しいデータ伝送のスケジューリングと認識することができる。これにより、後者のケース(即ち、一部のＣＢＧ伝送指示)は再伝送と見なされ、ＮＤＩフィールドは他の特定の用途に使用できる。なお、ＮＤＩフィールドが他の特定の用途に使用される場合、ＮＤＩフィールドは、１）受信されたＣＢＧ信号を該当ＣＢＧインデックスに対応する受信バッファに以前に貯蔵した信号と合成して貯蔵するか、それとも以前に貯蔵した信号をフラッシュして空にし、受信されたＣＢＧ信号のみを新しく貯蔵するかを指示するか(即ち、ＣＢＧ  ｂｕｆｆｅｒ  ｆｌｕｓｈ  ｉｎｄｉｃａｔｏｒ、ＣＢＧＦＩ)、或いは２）(再)伝送されるＣＢＧ(インデックス)を指示することができる(即ち、ＣＢＧ  ｔｒａｎｓｍｉｓｓｉｏｎ  ｉｎｄｉｃａｔｏｒ、ＣＢＧＴＩ)。
【０３２４】
４）方法Ｅ−４：  ＣＢＧ単位のスケジューリング(ＤＣＩ)においてバッファフラッシュ指示者フィールドの使用
【０３２５】
データ再伝送(ｗｉｔｈｏｕｔ  ＮＤＩ  ｔｏｇｇｌｉｎｇ)の場合と新しいデータの伝送(ｗｉｔｈ  ＮＤＩ  ｔｏｇｇｌｉｎｇ)の場合に、バッファフラッシュ指示者フィールドを異なって解釈することができる。一例として、データ再伝送の場合には、バッファフラッシュ指示者の元の用途通り(各々のＣＢＧごとに)受信ＣＢＧ信号をバッファに貯蔵する前に該当バッファをフラッシュして空にするか、或いは空にせず合成するかを指示するために使用されることができる。なお、新しいデータの伝送の場合には、基本的に受信信号の貯蔵前にバッファフラッシュ動作を前提とするので、バッファフラッシュ指示者が他の特定の用途に使用されることができる。バッファフラッシュ指示者フィールドが他の特定の用途に使用される場合、バッファフラッシュ指示者フィールドは、スケジューリングされるデータのＴＢＳ及び／又はＭＣＳ情報を指示するビットを含むことができる。逆に、ＴＢＳ／ＭＣＳフィールドは新しいデータの伝送をスケジューリングするＤＣＩ内ではＴＢＳ／ＭＣＳ情報を含む反面、データ再伝送をスケジューリングするＤＣＩ内ではバッファフラッシュ指示者を構成するビットを含むことができる。
【０３２６】
５）方法Ｅ−５：  ＣＢＧ単位のスケジューリング(ＤＣＩ)においてＣＢＧＴＩ(及びＣＢＧＦＩ)フィールドの使用
【０３２７】
ＤＣＩ内のＣＢＧＴＩフィールドを通じて指示された値(又はこれとＣＢＧＴＩフィールドを通じて指示された値の組み合わせ)に基づいて、特定のＣＢＧ(集合)に対するバッファフラッシュを指示することができる。まず、ＣＢＧＴＩフィールドを構成する各々のビットは、各々のＣＢＧインデックスに対する(再)伝送有無を個々に指示するために使用される。一例として、ビット“１”は(該当ビットに対応する)ＣＢＧが(再)伝送されることを指示し、ビット“０”は該当ＣＢＧが(再)伝送されないことを指示することができる。なお、ＣＢＧＦＩフィールド／ビットはＣＢＧＴＩフィールドを通じて(再)伝送が指示されたＣＢＧに対するバッファフラッシュの有無を指示するために使用される。一例として、ビット“１”は((再)伝送が指示されたＣＢＧに対する)バッファをフラッシュすることを指示し、ビット“０”は該当バッファをフラッシュしないことを指示することができる。
【０３２８】
まず、ＤＣＩ内に(所定のＣＢＧＦＩフィールドの構成無しに)ＣＢＧＴＩフィールドのみが構成／設定された状態で(以下、ＣＢＧ  ｍｏｄｅ  １)、(ＮＤＩがトグルされず)該当ＣＢＧＴＩフィールドを構成する全てのビットが“０”と指示されることができる。この場合、(端末は)与えられたＴＢを構成する全てのＣＢＧに対する(再)伝送が指示されると同時に、全てのＣＢＧに対するバッファフラッシュ動作が指示されたと規定する／見なすことができる。これにより、端末は以前にバッファに貯蔵された信号をフラッシュした後、新しく受信されたＣＢＧ信号をバッファに貯蔵するように動作する。なお、ＣＢＧ  ｍｏｄｅ  １において、(ＮＤＩがトグルされない状態で)ＣＢＧＴＩフィールドを構成する全てのビットが“１”と指示されることができる。この場合は、(端末は)バッファフラッシュ動作が指示されない状態で与えられたＴＢを構成する全てのＣＢＧに対する(再)伝送が指示されたと規定する／見なすことができる。
【０３２９】
次に、ＤＣＩ内にＣＢＧＴＩフィールドとＣＢＧＦＩフィールドがいずれも構成／設定された状態で(以下、ＣＢＧ  ｍｏｄｅ  ２)、(ＮＤＩはトグルされず)ＣＢＧＴＩフィールドを構成する全てのビットが“０”と指示されることができる。この場合、(端末は)与えられたＴＢを構成する全てのＣＢＧに対する(再)伝送が指示されたと規定する／見なすことができる。さらに、この状態において、ケース１）ＣＢＧＦＩビットが“０”と指示された場合、(端末は)特定の一部ＣＢＧ(以下、ＣＢＧ  ｓｕｂ−ｇｒｏｕｐ  １)に対するバッファフラッシュ動作が指示されたと規定する／見なすことができ、ケース２）ＣＢＧＦＩビットが“１”と指示された場合には、他の特定の一部ＣＢＧ(以下、ＣＢＧ  ｓｕｂ−ｇｒｏｕｐ  ２)に対するバッファフラッシュ動作が指示されたと規定する／見なすことができる。ＣＢＧ  ｓｕｂ−ｇｒｏｕｐ  １とＣＢＧ  ｓｕｂ−ｇｒｏｕｐ  ２に属した(複数の)ＣＢＧは、(該当ＣＢＧの合集合は全体ＣＢＧの集合でありながら)互いに完全に排他的に構成されるか或いは部分的に同一に構成されることができる。なお、ＣＢＧ  ｍｏｄｅ  ２において、(ＮＤＩがトグルされない状態で)ＣＢＧＴＩフィールドを構成する全てのビットが“１”と指示され、ＣＢＧＦＩビットが“１”(又は“０”)と指示された場合には、(端末は)与えられたＴＢを構成する全てのＣＢＧに対する(再)伝送が指示されると同時に全てのＣＢＧに対するバッファフラッシュ動作が指示されたと(又は指示されないものと)規定する／見なすことができる。
【０３３０】
一方、端末におけるＴＢデコードの動作に対する早期終了(ｅａｒｌｙ  ｔｅｒｍｉｎａｔｉｏｎ)を考慮して、１）複数のＣＢＧに対して各々のＣＢＧごとに交互にＣＢを１つずつ順にデコードするか(例えば、ＣＢ１  ｉｎ  ＣＢＧ−１  =>ＣＢ１  ｉｎ  ＣＢＧ−２  =>…  ＣＢ１  ｉｎ  ＣＢＧ−Ｍ  =>ＣＢ２  ｉｎ  ＣＢＧ−１  =>  …のような順にデコードを行う)、２）各々のＣＢＧごとに(インデックス上に)順にＣＢＧ単位でデコードを行うが(例えば、ＣＢｓ  ｉｎ  ＣＢＧ−１  =>ＣＢｓ  ｉｎ  ＣＢＧ−２  =>…のような順にデコードを行う)、ＮＡＣＫであるＣＢＧが発生すると、以後の全てのＣＢＧに対して(デコード動作を省略して)ＮＡＣＫをフィードバックすることができる。
【０３３１】
なお、ＳＰＳ方式に基づいて伝送されるＤＬ／ＵＬデータについてはＣＢＧ単位の再伝送スケジューリング及びＣＢＧごとのＡ／Ｎフィードバックの構成動作が適用／設定されないことができる。これにより、ＳＰＳ方式ではない一般のスケジューリングに基づくＤＬ／ＵＬデータの伝送についてのみＣＢＧ単位の再伝送スケジューリング及びＣＢＧごとのＡ／Ｎフィードバックの構成動作が設定／適用されることができ、ＳＰＳ基盤のＤＬ／ＵＬデータの伝送についてはＴＢ単位のスケジューリング及びＴＢごと(即ち、ＴＢレベル)のＡ／Ｎフィードバック(例えば、１つのＴＢに対して１ビットＡ／Ｎを構成／伝送する)動作が適用／設定されることができる。また端末(グループ)ＣＳＳ基盤のＤＣＩ(或いは特定のＤＣＩフォーマット、例えば、ＬＴＥにおけるＤＣＩフォーマット０／１Ａと類似する(互いに異なるＴＭに共通して設定／使用される)形態のＴＭ共通ＤＣＩフォーマット)伝送を通じてスケジューリングされるＤＬ／ＵＬデータ(及び／又はランダム接続過程に伴うＲＡＲからスケジューリングされるＭｓｇ３及び競争解消(ｃｏｎｔｅｎｔｉｏｎ  ｒｅｓｏｌｕｔｉｏｎ)の目的で伝送されるＭｓｇ４)についてもＣＢＧ単位の再伝送スケジューリング及びＣＢＧごとのＡ／Ｎフィードバックの構成動作が適用／設定されないことができる。これにより、ＣＳＳではないＵＳＳ基盤のＤＣＩ(或いは特定のＴＭにのみ設定／使用されるＴＭ専用ＤＣＩフォーマット)伝送を通じてスケジューリングされるＤＬ／ＵＬデータの伝送にのみＣＢＧ単位の再伝送スケジューリング及びＣＢＧごとのＡ／Ｎフィードバックの構成動作が適用／設定されることができる。反面、ＣＳＳ基盤のＤＣＩ(或いはＴＭ−共通ＤＣＩフォーマット)伝送を通じてスケジューリングされるＤＬ／ＵＬデータ(及び／又はＭｓｇ３／４)の伝送にはＴＢ単位のスケジューリング及びＴＢごと(ＴＢレベル)のＡ／Ｎフィードバック動作が適用／設定されることができる(即ち、ＴＢレベルのＡ／Ｎフィードバックを構成)。
【０３３２】
また、ＣＢＧ単位の再伝送スケジューリング及びＣＢＧごとのＡ／Ｎフィードバックの構成動作が設定された状況において、上記のような理由で(又はその他の理由で、例えば、端末がＡ／Ｎペイロードの縮小のためにＣＢＧごとにＡ／Ｎを結束(ｂｕｎｄｌｉｎｇ)するか、或いはＡ／Ｎ結束動作が基地局から指示されて)ＴＢレベルのＡ／Ｎフィードバックを構成する場合、(ケース１)  単一のＴＢに対するＡ／Ｎのみを多重化なしに伝送するか、(ケース２)複数のＴＢに対する複数のＡ／Ｎを多重化して伝送するかによって、Ａ／Ｎ方式が変化する。例えば、ケース１の場合は、１ビットＡ／Ｎペイロードのみを構成した後、小さい(ｓｍａｌｌ)ペイロード(例えば、最大２ビット)を支援するＰＵＣＣＨフォーマット／リソースを用いてＡ／Ｎを伝送する。反面、ケース２の場合には、ＴＢ当たりのＣＢＧの個数がＮに設定された場合、Ｏｐｔ  １)ＴＢに対するＡ／Ｎを該当Ｎ個のビットに同様に繰り返してマッピングするか、Ｏｐｔ  ２）ＴＢに対するＡ／Ｎを特定(例えば、ｌｏｗｅｓｔ)のＣＢＧインデックスに対応する１ビットにマッピングすることができる。一方、Ｏｐｔ１、２はＣＢＧ単位の再伝送スケジューリング及びＣＢＧごとのＡ／Ｎフィードバックの構成動作が設定された状況において、ケース２とは関係なく適用される。
【０３３３】
ケース２の場合、端末は該当ＴＢに対応するＮ−ビットＡ／Ｎを含むマルチービットのＡ／Ｎペイロードを構成して大きい(Ｌａｒｇｅ)ペイロード(例えば、３ビット以上)を支援するＰＵＣＣＨフォーマット／リソースとして用いてＡ／Ｎを伝送することができる。マルチービットのＡ／Ｎペイロードは、複数のＴＢに対応するＡ／Ｎ情報を含む。一例として、マルチービットのＡ／Ｎペイロードは、複数のＴＢに対応する複数のＮ−ビットのＡ／Ｎを含むことができる。
【０３３４】
なお、上記のような意図的なＵＲＬＬＣのパンクチャリング動作がコ−チャネルインターセル環境において適用される状況を考慮した場合、少なくとも特定のセルで伝送されるＵＲＬＬＣ信号が他のセルにおけるＤＬ／ＵＬデータ受信に使用されるＤＭＲＳ信号に及ぼす干渉影響は最小になることが好ましい。このために、各々のセルにおいてＤＭＲＳ伝送に使用するシンボルの位置情報及び／又は各々のセルにおいてＵＲＬＬＣ(パンクチャリング)伝送に使用するシンボルの位置情報を、セルの間で互いに伝達／交換する動作が考えられる。
【０３３５】
本発明の提案方法は、ＤＬデータのスケジューリング及び伝送の状況に限られず、ＵＬデータのスケジューリング及び伝送の状況にも同一／同様に適用することができる(例えば、ＴＢによるＣＢ／ＣＢＧの構成、ＵＬデータの伝送タイミング設定、ＣＢＧスケジューリングのＤＣＩ構成など)。これに関連して、本発明の提案方法においてＤＬデータ(スケジューリングＤＣＩ)はＵＬデータ(スケジューリングＤＣＩ)に代替できる。
【０３３６】
図１８は本発明に実施例に適用可能な基地局及び端末を例示する。
【０３３７】
図１８を参照すると、無線通信システムは、基地局（ＢＳ）１１０及び端末（ＵＥ）１２０を含む。リレーを含むシステムの場合、基地局又は端末はリレーに取り替えられることができる。
【０３３８】
基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は本発明で提案した過程及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した過程及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。
【０３３９】
前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０３４０】
本文書で、本発明の実施例は主に端末と基地局間のデータ送受信関係を中心として説明した。本文書で、基地局によって遂行されると説明した特定の動作は場合によってはその上位ノード（ｕｐｐｅｒ  ｎｏｄｅ）によって遂行することができる。すなわち、基地局を含む複数のネットワークノード（ｎｅｔｗｏｒｋ  ｎｏｄｅｓ）でなるネットワークで端末との通信のために行われる多様な動作は基地局又は基地局以外の他のネットワークノードによって遂行することができるのは明らかである。基地局は、固定国（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に取り替えることができる。また、端末はＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えられることができる。
【０３４１】
本発明の実施例は、多様な手段、例えば、ハードウェア、ファームウェア（ｆｉｒｍｗａｒｅ）、ソフトウェア又はそれらの組合せなどによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０３４２】
ファームウェアやソフトウェアによる具現の場合、本発明の一実施例は、前述した機能又は動作を行うモジュール、手続、関数などの形態に具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとデータをやり取りすることができる。
【０３４３】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０３４４】
本発明は無線移動通信システムの端末機、基地局又はその他の装備に使用できる。
【図１】
2019527506.tif 000020
【図２】
2019527506.tif 000021
【図３】
2019527506.tif 000022
【図４】
2019527506.tif 000023
【図５】
2019527506.tif 000024
【図６】
2019527506.tif 000025
【図７】
2019527506.tif 000026
【図８】
2019527506.tif 000027
【図９】
2019527506.tif 000028
【図１０】
2019527506.tif 000029
【図１１】
2019527506.tif 000030
【図１２】
2019527506.tif 000031
【図１３】
2019527506.tif 000032
【図１４】
2019527506.tif 000033
【図１５】
2019527506.tif 000034
【図１６】
2019527506.tif 000035
【図１７】
2019527506.tif 000036
【図１８】
2019527506.tif 000037
【国際調査報告】
2019527506.tif 000038
2019527506.tif 000039
2019527506.tif 000040
2019527506.tif 000041